(57)【要約】      （修正有）【課題】ＷｉＭＡＸネットワークとＣＤＭＡ  ＥＶＤＯ／１ｘネットワーク間のハンドオーバ中におけるサービスの継続性の向上する技術を提供する。【解決手段】第１のＲＡＴを介して通信中に第２ＲＡＴを介して近隣指示情報を受信し、近隣指示情報を用いて第２のＲＡＴに関してスキャンし、スキャンの結果に基づいて第２のＲＡＴにハンドオーバすべきか判断することによって、ハンドオーバ中におけるサービスの継続性を向上させることができる。【選択図】図４Ａ
2014003635.tif 000002
【特許請求の範囲】
【請求項１】
第１及び第２の無線アクセス技術（ＲＡＴ）を介してネットワークサービス間でのハンドオーバを行うための方法であって、
前記第１のＲＡＴを介して通信する一方で、前記第２のＲＡＴを介してネットワークサービスに関する近隣指示情報を受信することと、なお、前記第１及び第２のＲＡＴは異なる、
前記受信された情報を用いて前記第２のＲＡＴに関してスキャンすることと、
前記スキャンの結果に基づいて前記第２のＲＡＴを介してネットワークサービスにハンドオーバすべきかどうかを決定することと、
を備える方法。
【請求項２】
前記第１のＲＡＴは、ＷｉＭＡＸ（Worldwide Interoperability for Microwave Access）であり、前記第２のＲＡＴはＣＤＭＡ（符号分割多元接続）であり、前記受信された情報は、ＣＤＭＡ近隣指示情報である、
請求項１に記載の方法。
【請求項３】
前記第２のＲＡＴは、ＣＤＭＡエボリューション−データ最適化（ＥＶＤＯ）又はＣＤＭＡ１ｘである、
請求項２に記載の方法。
【請求項４】
前記ＣＤＭＡ近隣指示情報は、既存のメディアアクセス制御（ＭＡＣ）管理メッセージにおける新しい情報要素（ＩＥ）である、
請求項２に記載の方法。
【請求項５】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項４に記載の方法。
【請求項６】
前記ＣＤＭＡ近隣指示情報は、新たに定義されたメディアアクセス制御（ＭＡＣ）管理メッセージである、
請求項２に記載の方法。
【請求項７】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項６に記載の方法。
【請求項８】
前記第１のＲＡＴは、ＣＤＭＡ（符号分割多元接続）であり、前記第２のＲＡＴはＷｉＭＡＸ（Worldwide Interoperability for Microwave Access）であり、前記受信された情報はＷｉＭＡＸ近隣指示情報である、
請求項１に記載の方法。
【請求項９】
前記第１のＲＡＴは、ＣＤＭＡエボリューション−データ最適化（ＥＶＤＯ）である、
請求項８に記載の方法。
【請求項１０】
新セクタブロードキャストメッセージは、前記ＷｉＭＡＸ近隣指示情報を備える、
請求項８に記載の方法。
【請求項１１】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項８に記載の方法。
【請求項１２】
その上に格納された命令を有するコンピュータ可読媒体を備える第１及び第２の無線アクセス技術（ＲＡＴ）を介してネットワークサービス間でのハンドオーバを行うためのコンピュータプログラム装置であって、前記命令は、１つ以上のプロセッサによって実行可能であり、前記命令は、
前記第１のＲＡＴを介して通信する一方で、前記第２のＲＡＴを介してネットワークサービスに関する近隣指示情報を受信するための命令と、なお、前記第１及び第２のＲＡＴは異なる、
前記受信された情報を用いて前記第２のＲＡＴに関してスキャンするための命令と、
前記スキャンの結果に基づいて前記第２のＲＡＴを介してネットワークサービスにハンドオーバすべきかどうかを決定するための命令と、
を備える、コンピュータプログラム装置。
【請求項１３】
前記第１のＲＡＴはＷｉＭＡＸ（Worldwide Interoperability for Microwave Access）であり、前記第２のＲＡＴはＣＤＭＡ（符号分割多元接続）であり、前記受信された情報はＣＤＭＡ近隣指示情報である、
請求項１２に記載のコンピュータプログラム装置。
【請求項１４】
前記第２のＲＡＴは、ＣＤＭＡエボリューション−データ最適化（ＥＶＤＯ）又はＣＤＭＡ１ｘである、
請求項１３に記載のコンピュータプログラム装置。
【請求項１５】
前記ＣＤＭＡ近隣指示情報は、既存のメディアアクセス制御（ＭＡＣ）管理メッセージにおける新しい情報要素（ＩＥ）である、
請求項１３に記載のコンピュータプログラム装置。
【請求項１６】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項１５に記載のコンピュータプログラム装置。
【請求項１７】
前記ＣＤＭＡ近隣指示情報は、新たに定義されたメディアアクセス制御（ＭＡＣ）管理メッセージである、
請求項１３に記載のコンピュータプログラム装置。
【請求項１８】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項１７に記載のコンピュータプログラム装置。
【請求項１９】
前記第１のＲＡＴはＣＤＭＡ（符号分割多元接続）であり、前記第２のＲＡＴはＷｉＭＡＸ（Worldwide Interoperability for Microwave Access）であり、前記受信された情報はＷｉＭＡＸ近隣指示情報である、
請求項１２に記載のコンピュータプログラム装置。
【請求項２０】
前記第１のＲＡＴは、ＣＤＭＡエボリューション−データ最適化（ＥＶＤＯ）である、
請求項１９に記載のコンピュータプログラム装置。
【請求項２１】
新セクタブロードキャストメッセージは、前記ＷｉＭＡＸ近隣指示情報を備える、
請求項１９に記載のコンピュータプログラム装置。
【請求項２２】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項１９に記載のコンピュータプログラム装置。
【請求項２３】
第１及び第２の無線アクセス技術（ＲＡＴ）を介してネットワークサービス間でのハンドオーバを行うための装置であって、
前記第１のＲＡＴを介して通信する一方で前記第２のＲＡＴを介してネットワークサービスに関する近隣指示情報を受信するための手段と、なお、前記第１及び第２のＲＡＴは異なる、
前記受信された情報を用いて前記第２のＲＡＴに関してスキャンするための手段と、
前記スキャンの結果に基づいて前記第２のＲＡＴを介してネットワークサービスにハンドオーバすべきかどうかを決定するための手段と、
を備える装置。
【請求項２４】
前記第１のＲＡＴはＷｉＭＡＸ（Worldwide Interoperability for Microwave Access）であり、前記第２のＲＡＴはＣＤＭＡ（符号分割多元接続）であり、前記受信された情報はＣＤＭＡ近隣指示情報である、
請求項２３に記載の装置。
【請求項２５】
前記第２のＲＡＴは、ＣＤＭＡエボリューション−データ最適化（ＥＶＤＯ）又はＣＤＭＡ１ｘである、
請求項２４に記載の装置。
【請求項２６】
前記ＣＤＭＡ近隣指示情報は、既存のメディアアクセス制御（ＭＡＣ）管理メッセージにおける新しい情報要素（ＩＥ）である、
請求項２４に記載の装置。
【請求項２７】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項２６に記載の装置。
【請求項２８】
前記ＣＤＭＡ近隣指示情報は、新たに定義されたメディアアクセス制御（ＭＡＣ）管理メッセージである、
請求項２４に記載の装置。
【請求項２９】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項２８に記載の装置。
【請求項３０】
前記第１のＲＡＴはＣＤＭＡ（符号分割多元接続）であり、前記第２のＲＡＴはＷｉＭＡＸ（Worldwide Interoperability for Microwave Access）であり、前記受信された情報はＷｉＭＡＸ近隣指示情報である、
請求項２３に記載の装置。
【請求項３１】
前記第１のＲＡＴは、ＣＤＭＡエボリューション−データ最適化（ＥＶＤＯ）である、
請求項３０記載の装置。
【請求項３２】
前記受信するための手段は、前記ＷｉＭＡＸ近隣指示情報を含む新セクタブロードキャストメッセージを受信するように構成される、
請求項３０に記載の装置。
【請求項３３】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項３０に記載の装置。
【請求項３４】
無線通信のための受信機であって、
前記第１の無線アクセス技術（ＲＡＴ）を介して通信する一方で第２のＲＡＴを介してネットワークサービスに関する近隣指示情報を受信するように構成された通信論理と、なお、前記第１及び第２のＲＡＴは異なる、
前記受信された情報を用いて前記第２のＲＡＴに関してスキャンするように構成されたスキャン論理と、
前記スキャンの結果に基づいて前記第２のＲＡＴを介してネットワークサービスにハンドオーバすべきかどうかを決定するように構成されたハンドオーバ決定論理と、
を備える受信機。
【請求項３５】
前記第１のＲＡＴはＷｉＭＡＸ（Worldwide Interoperability for Microwave Access）であり、前記第２のＲＡＴはＣＤＭＡ（符号分割多元接続）であり、前記受信された情報はＣＤＭＡ近隣指示情報である、
請求項３４に記載の受信機。
【請求項３６】
前記第２のＲＡＴは、ＣＤＭＡエボリューション−データ最適化（ＥＶＤＯ）又はＣＤＭＡ１ｘである、
請求項３５に記載の受信機。
【請求項３７】
前記ＣＤＭＡ近隣指示情報は、既存のメディアアクセス制御（ＭＡＣ）管理メッセージにおける新しい情報要素（ＩＥ）である、
請求項３５に記載の受信機。
【請求項３８】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項３７に記載の受信機。
【請求項３９】
前記ＣＤＭＡ近隣指示情報は、新たに定義されたメディアアクセス制御（ＭＡＣ）管理メッセージである、
請求項３５に記載の受信機。
【請求項４０】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項３９に記載の受信機。
【請求項４１】
前記第１のＲＡＴはＣＤＭＡ（符号分割多元接続）であり、前記第２のＲＡＴはＷｉＭＡＸ（Worldwide Interoperability for Microwave Access）であり、前記受信された情報はＷｉＭＡＸ近隣指示情報である、
請求項３４に記載の受信機。
【請求項４２】
前記第１のＲＡＴは、ＣＤＭＡエボリューション−データ最適化（ＥＶＤＯ）である、
請求項４１に記載の受信機。
【請求項４３】
前記通信論理は、前記ＷｉＭＡＸ近隣指示情報を含む新セクタブロードキャストメッセージを受信するように構成される、
請求項４１に記載の受信機。
【請求項４４】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項４１に記載の受信機。
【請求項４５】
第１の無線アクセス技術（ＲＡＴ）を介して通信するための受信機フロントエンドと、
前記第１のＲＡＴを介して通信する一方で第２のＲＡＴを介してネットワークサービスに関する近隣指示情報を受信するように構成された通信論理と、前記第１及び第２のＲＡＴは異なる、
前記受信された情報を用いて前記第２のＲＡＴに関してスキャンするように構成されたスキャン論理と、
前記スキャンの結果に基づいて前記第２のＲＡＴを介してネットワークサービスにハンドオーバすべきかどうかを決定するように構成されたハンドオーバ決定論理と、
を備えるモバイルデバイス。
【請求項４６】
前記第１のＲＡＴはＷｉＭＡＸ（Worldwide Interoperability for Microwave Access）であり、前記第２のＲＡＴはＣＤＭＡ（符号分割多元接続）であり、前記受信された情報はＣＤＭＡ近隣指示情報である、
請求項４５に記載のモバイルデバイス。
【請求項４７】
前記第２のＲＡＴは、ＣＤＭＡエボリューション−データ最適化（ＥＶＤＯ）又はＣＤＭＡ１ｘである、
請求項４６に記載のモバイルデバイス。
【請求項４８】
前記ＣＤＭＡ近隣指示情報は、既存のメディアアクセス制御（ＭＡＣ）管理メッセージにおける新しい情報要素（ＩＥ）である、
請求項４６に記載のモバイルデバイス。
【請求項４９】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項４８に記載のモバイルデバイス。
【請求項５０】
前記ＣＤＭＡ近隣指示情報は、新たに定義されたメディアアクセス制御（ＭＡＣ）管理メッセージである、
請求項４６に記載のモバイルデバイス。
【請求項５１】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項５０に記載のモバイルデバイス。
【請求項５２】
前記第１のＲＡＴはＣＤＭＡ（符号分割多元接続）であり、前記第２のＲＡＴはＷｉＭＡＸ（Worldwide Interoperability for Microwave Access）であり、前記受信された情報はＷｉＭＡＸ近隣指示情報である、
請求項４５に記載のモバイルデバイス。
【請求項５３】
前記第１のＲＡＴは、ＣＤＭＡエボリューション−データ最適化（ＥＶＤＯ）である、
請求項５２に記載のモバイルデバイス。
【請求項５４】
前記通信論理は、前記ＷｉＭＡＸ近隣指示情報を含む新セクタブロードキャストメッセージを受信するように構成される、
請求項５２に記載のモバイルデバイス。
【請求項５５】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項５２に記載のモバイルデバイス。
【請求項５６】
第１及び第２の無線アクセス技術（ＲＡＴ）を介してのネットワークサービス間でのハンドオーバをアシストするための方法であって、
前記第１のＲＡＴを介して通信することと、
前記第２のＲＡＴを介してネットワークサービスに関する情報を送信することと、
を備え、前記第１及び第２のＲＡＴは異なる、
方法。
【請求項５７】
前記第１のＲＡＴはＷｉＭＡＸ（Worldwide Interoperability for Microwave Access）であり、前記第２のＲＡＴはＣＤＭＡ（符号分割多元接続）であり、前記送信された情報はＣＤＭＡ近隣指示情報である、
請求項５６に記載の方法。
【請求項５８】
前記第２のＲＡＴは、ＣＤＭＡエボリューション−データ最適化（ＥＶＤＯ）又はＣＤＭＡ１ｘである請求項５７に記載の方法。
【請求項５９】
前記ＣＤＭＡ近隣指示情報は、既存のメディアアクセス制御（ＭＡＣ）管理メッセージにおける新しい情報要素（ＩＥ）である、
請求項５７に記載の方法。
【請求項６０】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項５９に記載の方法。
【請求項６１】
前記ＣＤＭＡ近隣指示情報は、新たに定義されたメディアアクセス制御（ＭＡＣ）管理メッセージとして送信される、
請求項５７に記載の方法。
【請求項６２】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項６１に記載の方法。
【請求項６３】
前記第１のＲＡＴはＣＤＭＡ（符号分割多元接続）であり、前記第２のＲＡＴはＷｉＭＡＸ（Worldwide Interoperability for Microwave Access）であり、前記送信された情報はＷｉＭＡＸ近隣指示情報である、
請求項５６に記載の方法。
【請求項６４】
前記第１のＲＡＴは、ＣＤＭＡエボリューション−データ最適化（ＥＶＤＯ）である、
請求項６３記載の方法。
【請求項６５】
前記ＷｉＭＡＸ近隣指示情報は、新セクタブロードキャストメッセージとして送信される、
請求項６３に記載の方法。
【請求項６６】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項６３に記載の方法。
【請求項６７】
その上に格納された命令を有するコンピュータ可読媒体を備える第１及び第２の無線アクセス技術（ＲＡＴ）を介してのネットワークサービス間でのハンドオーバをアシストするためのコンピュータプログラム装置であって、前記命令は、１つ以上のプロセッサによって実行可能であり、前記命令は、
前記第１のＲＡＴを介して通信するための命令と、
前記第２のＲＡＴを介してネットワークサービスに関する情報を送信するための命令と、
を備え、前記第１及び第２のＲＡＴは異なる、
コンピュータプログラム装置。
【請求項６８】
前記第１のＲＡＴはＷｉＭＡＸ（Worldwide Interoperability for Microwave Access）であり、前記第２のＲＡＴはＣＤＭＡ（符号分割多元接続）であり、前記送信された情報はＣＤＭＡ近隣指示情報である、
請求項６７に記載のコンピュータプログラム装置。
【請求項６９】
前記第２のＲＡＴは、ＣＤＭＡエボリューション−データ最適化（ＥＶＤＯ）又はＣＤＭＡ１ｘである、
請求項６８に記載のコンピュータプログラム装置。
【請求項７０】
前記ＣＤＭＡ近隣指示情報は、既存のメディアアクセス制御（ＭＡＣ）管理メッセージにおける新しい情報要素（ＩＥ）として送信される、
請求項６８に記載のコンピュータプログラム装置。
【請求項７１】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項７０に記載のコンピュータプログラム装置。
【請求項７２】
前記ＣＤＭＡ近隣指示情報は、新たに定義されたメディアアクセス制御（ＭＡＣ）管理メッセージとして送信される、
請求項６８に記載のコンピュータプログラム装置。
【請求項７３】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項７２に記載のコンピュータプログラム装置。
【請求項７４】
前記第１のＲＡＴはＣＤＭＡ（符号分割多元接続）であり、前記第２のＲＡＴはＷｉＭＡＸ（Worldwide Interoperability for Microwave Access）であり、前記送信された情報はＷｉＭＡＸ近隣指示情報である、
請求項６７に記載のコンピュータプログラム装置。
【請求項７５】
前記第１のＲＡＴは、ＣＤＭＡエボリューション−データ最適化（ＥＶＤＯ）である、
請求項７４に記載のコンピュータプログラム装置。
【請求項７６】
前記ＷｉＭＡＸ近隣指示情報は、新セクタブロードキャストメッセージとして送信される、
請求項７４に記載のコンピュータプログラム装置。
【請求項７７】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項７４に記載のコンピュータプログラム装置。
【請求項７８】
第１及び第２の無線アクセス技術（ＲＡＴ）を介してのネットワークサービス間でのハンドオーバをアシストするための装置であって、
前記第１のＲＡＴを介して通信するための手段と、
前記第２のＲＡＴを介してネットワークサービスに関する情報を送信するための手段と、
を備え、前記第１及び第２のＲＡＴは異なる、
装置。
【請求項７９】
前記第１のＲＡＴはＷｉＭＡＸ（Worldwide Interoperability for Microwave Access）であり、前記第２のＲＡＴはＣＤＭＡ（符号分割多元接続）であり、前記送信された情報はＣＤＭＡ近隣指示情報である、
請求項７８に記載の装置。
【請求項８０】
前記第２のＲＡＴは、ＣＤＭＡエボリューション−データ最適化（ＥＶＤＯ）又はＣＤＭＡ１ｘである、
請求項７９に記載の装置。
【請求項８１】
前記ＣＤＭＡ近隣指示情報は、既存のメディアアクセス制御（ＭＡＣ）管理メッセージにおける新しい情報要素（ＩＥ）として送信される、
請求項７９に記載の装置。
【請求項８２】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項８１に記載の装置。
【請求項８３】
前記ＣＤＭＡ近隣指示情報は、新たに定義されたメディアアクセス制御（ＭＡＣ）管理メッセージとして送信される、
請求項７９に記載の装置。
【請求項８４】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項８３に記載の装置。
【請求項８５】
前記第１のＲＡＴはＣＤＭＡ（符号分割多元接続）であり、前記第２のＲＡＴはＷｉＭＡＸ（Worldwide Interoperability for Microwave Access）であり、前記送信された情報はＷｉＭＡＸ近隣指示情報である、
請求項７８に記載の装置。
【請求項８６】
前記第１のＲＡＴは、ＣＤＭＡエボリューション−データ最適化（ＥＶＤＯ）である、
請求項８５記載の装置。
【請求項８７】
前記送信するための手段は、前記ＷｉＭＡＸ近隣指示情報を新セクタブロードキャストメッセージとして送信する、
請求項８５に記載の装置。
【請求項８８】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項８５に記載の装置。
【請求項８９】
無線通信のための送信機であって、
前記第１の無線アクセス技術（ＲＡＴ）を介して通信するように構成された通信論理と、
第２のＲＡＴを介してネットワークサービスに関する情報を送信するように構成された送信論理と、
を備え、前記第１及び第２のＲＡＴは異なる、
無線通信のための送信機。
【請求項９０】
前記第１のＲＡＴはＷｉＭＡＸ（Worldwide Interoperability for Microwave Access）であり、前記第２のＲＡＴはＣＤＭＡ（符号分割多元接続）であり、前記送信された情報はＣＤＭＡ近隣指示情報である、
請求項８９に記載の送信機。
【請求項９１】
前記第２のＲＡＴは、ＣＤＭＡエボリューション−データ最適化（ＥＶＤＯ）又はＣＤＭＡ１ｘである、
請求項９０に記載の送信機。
【請求項９２】
前記ＣＤＭＡ近隣指示情報は、既存のメディアアクセス制御（ＭＡＣ）管理メッセージにおける新しい情報要素（ＩＥ）として送信される、
請求項９０に記載の送信機。
【請求項９３】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項９２に記載の送信機。
【請求項９４】
前記ＣＤＭＡ近隣指示情報は、新たに定義されたメディアアクセス制御（ＭＡＣ）管理メッセージとして送信される、
請求項９０に記載の送信機。
【請求項９５】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項９４に記載の送信機。
【請求項９６】
前記第１のＲＡＴはＣＤＭＡ（符号分割多元接続）であり、前記第２のＲＡＴはＷｉＭＡＸ（Worldwide Interoperability for Microwave Access）であり、前記送信された情報はＷｉＭＡＸ近隣指示情報である、
請求項８９に記載の送信機。
【請求項９７】
前記第１のＲＡＴは、ＣＤＭＡエボリューション−データ最適化（ＥＶＤＯ）である、
請求項９６に記載の送信機。
【請求項９８】
前記送信論理は、前記ＷｉＭＡＸ近隣指示情報を新セクタブロードキャストメッセージとして送信する、
請求項９６に記載の送信機。
【請求項９９】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項９６に記載の送信機。
【請求項１００】
第１の無線アクセス技術（ＲＡＴ）を介して通信するように構成された通信論理と、
第２のＲＡＴを介してネットワークサービスに関する情報を送信するための送信機フロントエンドと、
を備え、前記第１及び第２のＲＡＴは異なる、
基地局。
【請求項１０１】
前記第１のＲＡＴはＷｉＭＡＸ（Worldwide Interoperability for Microwave Access）であり、前記第２のＲＡＴはＣＤＭＡ（符号分割多元接続）であり、前記送信された情報はＣＤＭＡ近隣指示情報である、
請求項１００に記載の基地局。
【請求項１０２】
前記第２のＲＡＴは、ＣＤＭＡエボリューション−データ最適化（ＥＶＤＯ）又はＣＤＭＡ１ｘである、
請求項１０１に記載の基地局。
【請求項１０３】
前記ＣＤＭＡ近隣指示情報は、既存のメディアアクセス制御（ＭＡＣ）管理メッセージにおける新しい情報要素（ＩＥ）として送信される、
請求項１０１に記載の基地局。
【請求項１０４】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項１０３に記載の基地局。
【請求項１０５】
前記ＣＤＭＡ近隣指示情報は、新たに定義されたメディアアクセス制御（ＭＡＣ）管理メッセージとして送信される、
請求項１０１に記載の基地局。
【請求項１０６】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項１０５に記載の基地局。
【請求項１０７】
前記第１のＲＡＴはＣＤＭＡ（符号分割多元接続）であり、前記第２のＲＡＴはＷｉＭＡＸ（Worldwide Interoperability for Microwave Access）であり、前記送信された情報はＷｉＭＡＸ近隣指示情報である、
請求項１００に記載の基地局。
【請求項１０８】
前記第１のＲＡＴは、ＣＤＭＡエボリューション−データ最適化（ＥＶＤＯ）である、
請求項１０７に記載の基地局。
【請求項１０９】
前記送信機フロントエンドは、前記ＷｉＭＡＸ近隣指示情報を新セクタブロードキャストメッセージとして送信する、
請求項１０７に記載の基地局。
【請求項１１０】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項１０７に記載の基地局。
【発明の詳細な説明】
【関連出願】
【０００１】
本出願は、すべての目的のためにここにおいて参照により本明細書に組み込まれる、２００８年５月１１日に出願された“Systems And Methods For Multimode Wireless Communication Handoff”（マルチモード無線通信ハンドオフのためのシステム及び方法）と題する米国特許仮出願第６１／０５２，２６５号、及び２００８年５月１１日に出願された“Systems And Methods For Multimode Wireless Communication Handoff”（マルチモード無線通信ハンドオフのためのシステム及び方法）と題する米国特許仮出願第６１／０５２，２６６号の優先権の利益を主張するものである。
【技術分野】
【０００２】
本開示の一実施形態は、一般に、無線通信に関し、より具体的には、ＷｉＭＡＸネットワークからＣＤＭＡネットワークへの及びその逆のＣＤＭＡネットワークからＷｉＭＡＸネットワークへの移動局の基地局にアシストされるハンドオーバに関する。
【背景技術】
【０００３】
ＩＥＥＥ８０２．１６に基づく直交周波数分割多重（ＯＦＤＭ）及び直交周波数分割多元接続（ＯＦＤＭＡ）無線通信システムは、複数のサブキャリアの周波数の直交性に基づき、システム内においてサービスを受けるために登録された無線デバイス（すなわち、移動局）と通信するために基地局のネットワークを使用し、及び、広帯域無線通信にとっての幾つかの技術的な利点、例えば、耐マルチパスフェージング性及び耐干渉性、を達成するためにインプリメントされることができる。各基地局（ＢＳ）は、移動局に及び移動局からデータを搬送する無線周波数（ＲＦ）信号を送信及び受信する。移動局（ＭＳ）が１つの基地局によって網羅されるエリアから他の基地局によって網羅されるエリアに移動するような、様々な理由により、ハンドオーバ（ハンドオフとしても知られる）は、１つの基地局から別の基地局に通信サービス（例えば、進行中の呼又はデータセッション）を移行させるために実行される。
【０００４】
３つのハンドオーバの方法は、ＩＥＥＥ８０２．１６ｅ−２００５：ハードハンドオフ（ＨＨＯ：Hard Handoff）、高速基地局切り替え（ＦＢＳＳ：Fast Base Station Switching）及びマクロダイバーシティハンドオーバ（ＭＤＨＯ：Macro Diversity Handover）でサポートされる。これらの方法のうちで、ＨＨＯをサポートすることはその標準において必須である一方、ＦＢＳＳ及びＭＤＨＯは、２つの任意の代替手段である。
【０００５】
ＨＨＯは、１つのＢＳから別のＢＳへの突然の接続の移行を意味する。ハンドオーバ決定は、ＭＳによって報告された測定結果に基づいてＭＳ又はＢＳによって行うことができる。ＭＳは、周期的にＲＦスキャンを行って近隣の基地局の信号品質を測定することができる。ハンドオーバ決定は、例えば、１つのセルからの信号強度が現在のセルを超えること、ＭＳが位置を変更して信号フェージング又は干渉をもたらすこと、又はＭＳがより高いサービスの品質（ＱｏＳ）を要求することに起因することができる。スキャンは、ＢＳによって割り当てられたスキャンインターバル中に実行される。これらのインターバルの間に、ＭＳは、任意に、１つ以上の近隣の基地局と関連付けることおよび最初の測距を行うことも可能になる。一旦ハンドオーバ決定が行われた場合、ＭＳは、目標ＢＳのダウンリンク送信との同期化を開始することができ、スキャン中に測距が行われなかった場合は測距を行うことができ、及び前のＢＳとの接続を終了させることができる。ＢＳにおいて未達のプロトコルデータユニット（ＰＤＵ）は、タイマーが時間切れになるまで保持されることができる。
【０００６】
ＦＢＳＳがサポートされているときには、ＭＳ及びＢＳは、ＭＳとのＦＢＳＳに関わっているＢＳのリストを維持する。このセットは、ダイバーシティセットと呼ばれる。ＦＢＳＳにおいては、ＭＳは、ダイバーシティセット内の基地局を連続的にモニタリングする。ダイバーシティセット内のＢＳの中で、アンカーＢＳが定義される。ＦＢＳＳにおいて動作時に、ＭＳは、管理及びトラフィックの接続を含むアップリンクメッセージ及びダウンリンクメッセージのためにアンカーＢＳのみと通信する。１つのアンカーＢＳから別のＢＳへの移行（すなわち、ＢＳの切り替え）は、ダイバーシティセット内の別のＢＳが現在のアンカーＢＳよりも優れた信号強度を有する場合に行うことができる。アンカー更新手順は、チャネル品質インジケータチャネル（ＣＱＩＣＨ）又は明示のハンドオーバ（ＨＯ）シグナリングメッセージを介してサービスを提供するＢＳと通信することによって使用可能になる。
【０００７】
ＦＢＳＳハンドオーバは、ダイバーシティセット内で変化するアンカーＢＳからデータを受信又は送信するＭＳによる決定から開始する。ＭＳは、近隣のＢＳをスキャンし、ダイバーシティセットに含めるのに適するＢＳを選択する。ＭＳは、選択されたＢＳを報告し、ＢＳ及びＭＳは、ダイバーシティセットを更新する。ＭＳは、ダイバーシティセット内のＢＳの信号強度を連続的にモニタリングし、そのセットから１つのＢＳをアンカーＢＳとして選択する。ＭＳは、選択されたアンカーＢＳをＣＱＩＣＨ又はＭＳによって開始されるＨＯ要求メッセージにおいて報告する。
【０００８】
ＭＤＨＯをサポートするＭＳ及びＢＳに関して、ＭＳ及びＢＳは、ＭＳとのＭＤＨＯに関わるＢＳのダイバーシティセットを維持する。ダイバーシティセット内のＢＳの中で、アンカーＢＳが定義される。レギュラー動作モードは、単一のＢＳから成るダイバーシティセットとのＭＤＨＯの特定のケースを指す。ＭＤＨＯにおいて動作するときには、ＭＳは、アップリンク及びダウンリンクのユニキャストメッセージ及びトラフィックをダイバーシティセット内の全ＢＳと通信する。
【０００９】
ＭＤＨＯは、ＭＳが同じ時間インターバル内で複数のＢＳからのユニキャストメッセージ及びトラフィックを送信又は受信することを決定したときに開始する。ダウンリンクＭＤＨＯに関して、２つ以上のＢＳは、ＭＳダウンリンクデータの同期化された送信を提供し、このためダイバーシティ結合がＭＳにおいて行われる。アップリンクＭＤＨＯに関して、ＭＳからの送信が複数のＢＳによって受信され、受信された情報の選択ダイバーシティが行われる。
【発明の概要】
【００１０】
本開示の一実施形態は、概して、移動局（ＭＳ）の通常の動作中に、例えば、ＷｉＭＡＸネットワークからＣＤＭＡネットワークへの又はその逆のＣＤＭＡネットワークからＷｉＭＡＸネットワークへの、１つの無線アクセス技術（ＲＡＴ）ネットワークから別の異なるＲＡＴネットワークへの基地局によってアシストされたＭＳのハンドオーバを行い、それによってＭＳが１つのネットワークから次のネットワークに移動する間により良いサービスの継続性を可能にすることに関するものである。
【００１１】
本開示の一実施形態は、第１及び第２のＲＡＴが異なる、第１及び第２のＲＡＴを介してネットワークサービス間でのハンドオーバを行うための方法を提供する。方法は、概して、第１のＲＡＴを介して通信する一方で第２のＲＡＴを介してネットワークサービスに関する近隣指示情報を受信することと、受信された情報を用いて第２のＲＡＴに関してスキャンすることと、スキャンの結果に基づいて第２のＲＡＴを介してネットワークサービスにハンドオーバすべきかどうかを決定すること、とを含む。
【００１２】
本開示の一実施形態は、プロセッサによって実行されたときに一定の動作を行う、第１及び第２の無線ＲＡＴを介してネットワークサービス間でのハンドオーバを行うためのプログラムを含むコンピュータ可読媒体を提供する。なお、第１及び第２のＲＡＴは異なる。動作は、一般に、第１のＲＡＴを介して通信する一方で第２のＲＡＴを介してネットワークサービスに関する近隣指示情報を受信することと、受信された情報を用いて第２のＲＡＴに関してスキャンすることと、スキャンの結果に基づいて第２のＲＡＴを介してネットワークサービスにハンドオーバすべきかどうかを決定すること、とを含む。
【００１３】
本開示の一実施形態は、第１及び第２のＲＡＴを介してネットワークサービス間でのハンドオーバを行うための装置を提供する。なお、第１及び第２のＲＡＴは異なる。装置は、一般に、第１のＲＡＴを介して通信する一方で第２のＲＡＴを介してネットワークサービスに関する近隣指示情報を受信するための手段と、受信された情報を用いて第２のＲＡＴに関してスキャンするための手段と、スキャンの結果に基づいて第２のＲＡＴを介してネットワークサービスにハンドオーバすべきかどうかを決定するための手段と、を含む。
【００１４】
本開示の一実施形態は、無線通信のための受信機を提供する。受信機は、概して、第１の無線アクセス技術（ＲＡＴ）を介して通信する一方で第２のＲＡＴを介してネットワークサービスに関する近隣指示情報を受信するように構成された通信論理であって、第１及び第２のＲＡＴは異なる通信論理と、受信された情報を用いて第２のＲＡＴに関してスキャンするように構成されたスキャン論理と、スキャンの結果に基づいて第２のＲＡＴを介してネットワークサービスにハンドオーバすべきかどうかを決定するように構成されたハンドオーバ決定論理と、を含む。
【００１５】
本開示の一実施形態は、モバイルデバイスを提供する。モバイルデバイスは、概して、第１のＲＡＴを介して通信するための受信機フロントエンドと、第１のＲＡＴを介して通信する一方で第２のＲＡＴを介してネットワークサービスに関する近隣指示情報を受信するように構成された通信論理であって、第１及び第２のＲＡＴは異なる通信論理と、受信された情報を用いて第２のＲＡＴに関してスキャンするように構成されたスキャン論理と、スキャンの結果に基づいて第２のＲＡＴを介してネットワークサービスにハンドオーバすべきかどうかを決定するように構成されたハンドオーバ決定論理と、を含む。
【００１６】
本開示の一実施形態は、第１及び第２のＲＡＴを介してのネットワークサービス間でのハンドオーバをアシストするための方法を提供する。なお、第１及び第２のＲＡＴは異なる。方法は、概して、第１のＲＡＴを介して通信することと、第２のＲＡＴを介してネットワークサービスに関する情報を送信することと、を含む。
【００１７】
本開示の一実施形態は、プロセッサによって実行されたときに一定の動作を行う、第１及び第２の無線ＲＡＴを介してのネットワークサービス間でのハンドオーバをアシストするためのプログラム、を含むコンピュータ可読媒体を提供し、第１及び第２のＲＡＴは異なる。動作は、一般に、第１のＲＡＴを介して通信することと、第２のＲＡＴを介してネットワークサービスに関する情報を送信することと、を含む。
【００１８】
本開示の一実施形態は、第１及び第２のＲＡＴを介してのネットワークサービス間でのハンドオーバをアシストするための装置を提供する。装置は、一般に、第１のＲＡＴを介して通信するための手段と、第２のＲＡＴを介してネットワークサービスに関する情報を送信するための手段と、を含む。なお、第１及び第２のＲＡＴは異なる。
【００１９】
本開示の一実施形態は、無線通信のための送信機を提供する。送信機は、概して、第１のＲＡＴを介して通信するように構成された通信論理と、第２のＲＡＴを介してネットワークサービスに関する情報を送信するように構成された送信論理と、を含む。なお、第１及び第２のＲＡＴは異なる。
【００２０】
本開示の一実施形態は、基地局を提供する。基地局は、概して、第１のＲＡＴを介して通信するように構成された通信論理と、第２のＲＡＴを介してネットワークサービスに関する情報を送信するための送信機フロントエンドと、を含む。なお、第１及び第２のＲＡＴは異なる。
【図面の簡単な説明】
【００２１】
本開示の上述される特徴を詳細に理解できるようにするために、実施形態を参照することによって上記の概要のより具体的な説明を得ることができ、これらの実施形態の一部は、添付図に示される。しかしながら、添付図は、この開示の例示的な実施形態のみを例示するものであり、従って、適用範囲を制限するとはみなすべきでなく、説明は、その他の同様に有効な実施形態に対しても当てはめることができることに注意されるべきである。
【図１】本開示の一実施形態による、例示の無線通信システムを示した図である。
【図２】本開示の一実施形態による、無線デバイスにおいて利用することができる様々なコンポーネントを示した図である。
【図３】本開示の一実施形態による、直交周波数分割多重及び直交周波数分割多元接続（ＯＦＤＭ／ＯＦＤＭＡ）技術を利用する無線通信システム内において用いることができる送信機例及び受信機例を示した図である。
【図４Ａ】本開示の一実施形態による、デュアルモード移動局（ＭＳ）がＷｉＭＡＸネットワークのカバレッジ外に移動し、ＣＤＭＡ  ＥＶＤＯ／１ｘネットワークのカバレッジに入ることができる移動性シナリオを示した図である。
【図４Ｂ】本開示の一実施形態による、デュアルモードＭＳがＣＤＭＡ  ＥＶＤＯネットワークのカバレッジ外に移動し、ＷｉＭＡＸネットワークのカバレッジに入ることができる移動性シナリオを示した図である。
【図５】本開示の一実施形態による、デュアルモードＭＳの観点からの、ＷｉＭＡＸネットワークからＣＤＭＡ  ＥＶＤＯ又は１ｘネットワークへのデュアルモードＭＳの基地局によってアシストされたハンドオーバを行うための動作例のフローチャートである。
【図５Ａ】本開示の一実施形態による、デュアルモードＭＳの観点からの、ＷｉＭＡＸネットワークからＣＤＭＡ  ＥＶＤＯ／１ｘネットワークへのデュアルモードＭＳの基地局よってアシストされたハンドオーバを行うための図５の動作例に対応する手段のブロック図である。
【図６】本開示の一実施形態による、メディアアクセス制御（ＭＡＣ）プロトコルデータユニット（ＰＤＵ）のペイロードにおける様々な要素を含むＭＡＣ管理メッセージとしてのＣＤＭＡ近隣指示メッセージ例を示した図である。
【図７】本開示の一実施形態による、インターリービングインターバル中にＷｉＭＡＸネットワークサービスを用いて通信するＭＳによって要求されたＣＤＭＡスキャンインターバル例を示した図である。
【図８】本開示の一実施形態による、ＷｉＭＡＸ基地局（ＢＳ）の観点からのＷｉＭＡＸネットワークからＣＤＭＡ  ＥＶＤＯ又は１ｘネットワークへのデュアルモードＭＳの基地局によってアシストされたハンドオーバを行うための動作例のフローチャートである。
【図８Ａ】本開示の一実施形態による、ＷｉＭＡＸ  ＢＳの観点からのＷｉＭＡＸネットワークからＣＤＭＡ  ＥＶＤＯ／１ｘネットワークへのデュアルモードＭＳのＢＳによってアシストされたハンドオーバを行うための図８の動作例に対応する手段のブロック図である。
【図９】本開示の一実施形態による、ＷｉＭＡ基地局からＣＤＭＡ  ＥＶＤＯ／１ｘ基地局へのＢＳによってアシストされたハンドオーバを行うための動作例の呼のフローを示した図である。
【図１０】本開示の一実施形態による、デュアルモードＭＳの観点からのＣＤＭＡ  ＥＶＤＯネットワークからＷｉＭＡＸネットワークへのデュアルモードＭＳのＢＳによってアシストされたハンドオーバを行うための動作例のフローチャートである。
【図１０Ａ】本開示の一実施形態による、デュアルモードＭＳの観点からのＣＤＭＡ  ＥＶＤＯネットワークからＷｉＭＡＸネットワークへのデュアルモードＭＳのＢＳによってアシストされたハンドオーバを行うための図１０の動作例に対応する手段のブロック図である。
【図１１】本開示の一実施形態による、ＣＤＭＡ  ＢＳの観点からのＣＤＭＡ  ＥＶＤＯネットワークからＷｉＭＡＸネットワークへのデュアルモードＭＳのＢＳによってアシストされたハンドオーバを行うための動作例のフローチャートである。
【図１１Ａ】本開示の一実施形態による、ＣＤＭＡ  ＢＳの観点からのＣＤＭＡ  ＥＶＤＯネットワークからＷｉＭＡＸネットワークへのデュアルモードＭＳのＢＳによってアシストされたハンドオーバを行うための図１１の動作例に対応する手段のブロック図である。
【図１２】本開示の一実施形態による、ＣＤＭＡ  ＥＶＤＯ基地局からＷｉＭＡＸ基地局へのＢＳによってアシストされたハンドオーバを行うための動作例の呼のフローを示した図である。
【発明を実施するための形態】
【００２２】
本開示の実施形態は、デュアルモード移動局（ＭＳ）の通常の動作中におけるＷｉＭＡＸネットワークとＣＤＭＡ  ＥＶＤＯ／１ｘネットワークとの間での基地局によってアシストされたハンドオーバのための方法及び装置を提供する。これらの方法及び装置は、異なる無線アクセス技術（ＲＡＴ）を採用する近隣のセル内における基地局（ＢＳ）に関する１つのＲＡＴのブロードキャスト情報を用いる基地局（ＢＳ）を有することによって、ハンドオーバ中におけるサービスの継続性を向上させることができる。  
例示的な無線通信システム
本開示の方法及び装置は、ブロードバンド無線通信システムにおいて利用することができる。用語“ブロードバンド無線”は、所定のエリアにおける無線、音声、インターネット及び／又はデータネットワークアクセスを提供する技術を意味する。
【００２３】
ＷｉＭＡＸは、Worldwide Interoperability for Microwave Accessを意味し、長距離にわたる高スループットのブロードバンド接続を提供する標準化に基づくブロードバンド無線技術である。今日においてはＷｉＭＡＸの２つの主な用途、すなわち固定ＷｉＭＡＸ及びモバイルＷｉＭＡＸ、が存在する。固定ＷｉＭＡＸの用途は、ポイントツーマルチポイントであり、例えば、家庭及び企業へのブロードバンドアクセスを可能にする。モバイルＷｉＭＡＸは、ブロードバンド速度におけるセルラーネットワークの完全な移動性を提供する。
【００２４】
モバイルＷｉＭＡＸは、ＯＦＤＭ（直交周波数分割多重）技術及びＯＦＤＭＡ（直交周波数分割多元接続）技術に基づく。ＯＦＤＭは、様々な高データレート通信システムにおいて最近広範囲にわたって採用されるようになっているデジタルマルチキャリア変調技法である。ＯＦＤＭを用いた場合は、送信ビットストリームが複数のより低いレートのサブストリームに分割される。各サブストリームは、複数の直交サブキャリアのうちの１つで変調されて複数の並列なサブチャネルのうちの１つにおいて送信される。ＯＦＤＭＡは、異なるタイムスロットにおいてユーザにサブキャリアが割り当てられる多元接続技法である。ＯＦＤＭＡは、非常に様々な用途、データレート、及びサービス品質要求を有する数多くのユーザに対処することが可能な柔軟な多元接続技法である。
【００２５】
無線インターネット及び通信における急成長が、無線通信サービス分野における高データレートの要求増大に結びついている。ＯＦＤＭ／ＯＦＤＭＡシステムは、今日においては、最も有望な研究分野のうちの１つでありさらに次世代の無線通信にとっての鍵を握る技術であるとみなされている。これは、ＯＦＤＭ／ＯＦＤＭＡ変調方式が従来の単一搬送波変調方式と比較した場合に数多くの有利な点、例えば変調効率、スペクトル効率、柔軟性、及び強力なマルチパス耐性、を提供することができるという事実に起因する。
【００２６】
ＩＥＥＥ８０２．１６ｘは、固定式及び移動式のブロードバンド無線アクセス（ＢＷＡ）システムのためのエアインタフェースを定義する新たな標準化組織である。ＩＥＥＥ８０２．１６ｘは、２００４年５月に固定ＢＷＡシステムに関して“ＩＥＥＥ  Ｐ８０２．１６−ＲＥＶｄ／Ｄ５−２００４”を承認し、２００５年１０月にモバイルＢＷＡシステムに関して“ＩＥＥＥ  Ｐ８０２．１６ｅ／Ｄ１２  Ｏｃｔ．２００５”を発行した。それらの２つの標準化は、４つの異なる物理層（ＰＨＹ）及び１つのメディアアクセス制御（ＭＡＣ）層を定義している。これらの４つの物理層のＯＦＤＭ物理層及びＯＦＤＭＡ物理層は、固定ＢＷＡ分野及びモバイルＢＷＡ分野においてそれぞれ最も用いられている。
【００２７】
図１は、無線通信システム１００の例を示す。無線通信システム１００は、ブロードバンド無線通信システムであることができる。無線通信システム１００は、複数のセル１０２のための通信を提供することができ、これらの複数のセルの各々は、基地局１０４によってサービスが提供される。基地局１０４は、ユーザ端末１０６と通信する固定局であることができる。基地局１０４は、代替として、アクセスポイント、ノードＢ、又はその他の何らかの用語で呼ばれることがある。
【００２８】
図１は、システム１００全体に分散された様々なユーザ端末１０６を示す。ユーザ端末１０６は、固定型（すなわち静止型）又は移動型であることができる。ユーザ端末１０６は、代替として、遠隔局、アクセス端末、端末、加入者ユニット、移動局、局、ユーザ装置、等と呼ばれることがある。ユーザ端末１０６は、無線デバイス、例えば、携帯電話、携帯情報端末（ＰＤＡ）、ハンドヘルドデバイス、無線モデム、ラップトップコンピュータ、パーソナルコンピュータ、等であることができる。
【００２９】
無線通信システム１００における基地局１０４とユーザ端末１０６との間の通信のために様々なアルゴリズム及び方法を用いることができる。例えば、信号は、ＯＦＤＭ／ＯＦＤＭＡ技法に従って基地局１０４とユーザ端末１０６との間で送信及び受信することができる。この場合は、無線通信システム１００は、ＯＦＤＭ／ＯＦＤＭＡシステムと呼ぶことができる。
【００３０】
基地局１０４からユーザ端末１０６への送信を容易にする通信リンクは、ダウンリンク１０８と呼ぶことができ、ユーザ端末１０６から基地局１０４への送信を容易にする通信リンクは、アップリンク１１０と呼ぶことができる。代替として、ダウンリンク１０８は、順方向リンク又は順方向チャネルと呼ぶことができ、アップリンク１１０は、逆方向リンク又は逆方向チャネルと呼ぶことができる。
【００３１】
セル１０２は、複数のセクタ１１２に分割することができる。セクタ１１２は、セル１０２内における物理的なカバレッジエリアである。無線通信システム１００内の基地局１０４は、セル１０２の特定のセクタ１１２内において電力のフローを集中させるアンテナを利用することができる。そのようなアンテナは、指向性アンテナと呼ぶことができる。
【００３２】
図２は、無線デバイス２０２において利用することができる様々なコンポーネントを示す。無線デバイス２０２は、ここにおいて説明される様々な方法をインプリメントするように構成されることができるデバイスの例である。無線デバイス２０２は、基地局１０４又はユーザ端末１０６であることができる。
【００３３】
無線デバイス２０２は、無線デバイス２０２の動作を制御するプロセッサ２０４を含むことができる。プロセッサ２０４は、中央処理装置（ＣＰＵ）と呼ばれることもある。メモリ２０６は、読み取り専用メモリ（ＲＯＭ）とランダムアクセスメモリ（ＲＡＭ）との両方を含むことができ、命令及びデータをプロセッサ２０４に提供する。メモリ２０６の一部は、不揮発性ランダムアクセスメモリ（ＮＶＲＡＭ）を含むこともできる。プロセッサ２０４は、典型的には、メモリ２０６内に格納されたプログラム命令に基づいて論理演算及び算術演算を行う。メモリ２０６内の命令は、ここにおいて説明される方法をインプリメントするために実行可能である。
【００３４】
無線デバイス２０２は、無線デバイス２０２と遠隔地との間におけるデータの送信及び受信を可能にするための送信機２１０と受信機２１２とを含むことができるハウジング２０８を含むこともできる。送信機２１０及び受信機２１２は、結合してトランシーバ２１４にすることができる。アンテナ２１６は、ハウジング２０８に取り付けること及びトランシーバ２１４に電気的に結合することができる。無線デバイス２０２は、（示されていない）複数の送信機、複数の受信機、複数のトランシーバ、及び／又は複数のアンテナを含むことも可能である。
【００３５】
無線デバイス２０２は、トランシーバ２１４によって受信された信号のレベルを検出及び定量化するために用いることができる信号検出器２１８も含むことができる。信号検出器２１８は、総エネルギー、パイロットサブキャリアからのパイロットエネルギー又はプリアンブルシンボルからの信号エネルギー、電力スペクトル密度、等の信号を検出することができる。無線デバイス２０２は、信号を処理する際に用いるためのデジタル信号プロセッサ（ＤＳＰ）２２０を含むこともできる。
【００３６】
無線デバイス２０２の様々なコンポーネントは、バスシステム２２２によってまとめて結合することができ、バスシステム２２２は、データバスに加えて、電力バスと、制御信号バスと、状態信号バスと、を含むことができる。
【００３７】
図３は、ＯＦＤＭ／ＯＦＤＭＡを利用する無線通信システム１００内において用いることができる送信機３０２の例を示す。送信機３０２の一部分は、無線デバイス２０２の送信機２１０においてインプリメントすることができる。送信機３０２は、ダウンリンク１０８においてユーザ端末１０６にデータ３０６を送信するために基地局１０４にインプリメントすることができる。送信機３０２は、アップリンク１１０において基地局１０４にデータ３０６を送信するためにユーザ端末１０６にインプリメントすることもできる。
【００３８】
送信されるべきデータ３０６は、直列・並列（Ｓ／Ｐ）変換器３０８への入力として提供される状態が示される。Ｓ／Ｐ変換器３０８は、送信データをＮ個の並列のデータストリーム３１０に分割することができる。
【００３９】
Ｎ個の並列のデータストリーム３１０は、マッパ３１２への入力として提供することができる。マッパ３１２は、Ｎ個の並列のデータストリーム３１０をＮ個の信号点配置上にマッピングすることができる。マッピングは、バイナリ位相偏移変調（ＢＰＳＫ）、直交位相偏移変調（ＱＰＳＫ）、８位相偏移変調（８ＰＳＫ）、直交振幅変調（ＱＡＭ）、等、の変調信号点配置を用いて行うことができる。従って、マッパ３１２は、Ｎ個の並列のシンボルストリーム３１６を出力することができ、各シンボルストリーム３１６は、逆高速フーリエ変換（ＩＦＦＴ）３２０のＮ個の直交サブキャリアのうちの１つに対応する。これらのＮ個の並列のシンボルストリーム３１６は、周波数領域において表され、ＩＦＦＴコンポーネント３２０によってＮ個の並列の時間領域サンプルストリーム３１８に変換することができる。
【００４０】
用語に関する簡単な注記が次に提供される。周波数領域におけるＮ個の並列変調は、周波数領域におけるＮ個の変調シンボルに相当し、周波数領域におけるＮ個の変調シンボルは、周波数領域におけるＮ個のマッピング及びＮ点ＩＦＦＴに相当し、周波数領域におけるＮ個のマッピング及びＮ点ＩＦＦＴは、時間領域における１つの（有用な）ＯＦＤＭシンボルに相当し、時間領域における１つの（有用な）ＯＦＤＭシンボルは、時間領域におけるＮのサンプルに相当する。時間領域における１つのＯＦＤＭシンボルＮｓは、Ｎｃｐ（ＯＦＤＭシンボル当たりのガードサンプルの数）＋Ｎ（ＯＦＤＭシンボル当たりの有用なサンプルの数）に相当する。
【００４１】
Ｎ個の並列の時間領域サンプルストリーム３１８は、並列・直列（Ｐ／Ｓ）変換器３２４によってＯＦＤＭ／ＯＦＤＭＡシンボルストリーム３２２に変換することができる。ガード挿入コンポーネント３２６は、ＯＦＤＭ／ＯＦＤＭＡシンボルストリーム３２２内の連続するＯＦＤＭ／ＯＦＤＭＡシンボル間にガードインターバルを挿入することができる。ガード挿入コンポーネント３２６の出力は、無線周波数（ＲＦ）フロントエンド３２８によって希望される送信周波数帯域にアップコンバージョンすることができる。アンテナ３３０は、結果的に得られた信号３３２を送信することができる。
【００４２】
図３は、ＯＦＤＭ／ＯＦＤＭＡを利用する無線通信システム１００内において用いることができる受信機３０４の例も示す。受信機３０４の一部分は、無線デバイス２０２の受信機２１２にインプリメントされることができる。受信機３０４は、ダウンリンク１０８において基地局１０４からデータ３０６を受信するためにユーザ端末１０６にインプリメントされることができる。受信機３０４は、アップリンク１１０においてユーザ端末１０６からデータ３０６を受信するために基地局１０４にインプリメントされることもできる。
【００４３】
送信された信号３３２は、無線チャネル３３４において移動する状態が示される。信号３３２’がアンテナ３３０’によって受信されたときには、受信された信号３３２’は、ＲＦフロントエンド３２８’によってベースバンド信号にダウンコンバージョンすることができる。ガード除去コンポーネント３２６’は、ガード挿入コンポーネント３２６によってＯＦＤＭ／ＯＦＤＭＡシンボル間に挿入されたガードインターバルを除去することができる。
【００４４】
ガード除去コンポーネント３２６’の出力は、Ｓ／Ｐ変換器３２４’に提供することができる。Ｓ／Ｐ変換器３２４’は、ＯＦＤＭ／ＯＦＤＭＡシンボルストリーム３２２’をＮ個の並列の時間領域シンボルストリーム３１８’に分割することができ、これらの各々は、Ｎ個の直交サブキャリアのうちの１つに対応する。高速フーリエ変換（ＦＦＴ）コンポーネント３２０’は、Ｎ個の並列の時間領域シンボルストリーム３１８’を周波数領域に変換し、Ｎ個の並列の周波数領域シンボルストリーム３１６’を出力することができる。
【００４５】
デマッパ３１２’は、マッパ３１２によって行われたシンボルマッピング動作の逆の動作を行い、それによってＮ個の並列のデータストリーム３１０’を出力することができる。Ｐ／Ｓ変換器３０８’は、Ｎ個の並列のデータストリーム３１０’を結合して単一のデータストリーム３６０’にすることができる。理想的なことに、このデータストリーム３０６’は、送信機３０２への入力として提供されたデータ３０６に対応する。  
ＷｉＭＡＸからＣＤＭＡへの例示的なハンドオーバ
図４Ａは、ＷｉＭＡＸセル１０２が符号分割多元接続（ＣＤＭＡ）セル４０４に隣接する移動性シナリオを示す。ＷｉＭＡＸセル１０２の少なくとも一部は、ＣＤＭＡ信号のためのカバレッジを提供することもできるが、本開示の実施形態の目的のために、セル１０２は、現在は、ユーザ端末と通信するためにＷｉＭＡＸを利用する。各ＷｉＭＡＸセル１０２は、典型的に、ユーザ端末、例えばデュアルモード移動局（ＭＳ）４２０、とのＷｉＭＡＸネットワーク通信を容易にするためのＷｉＭＡＸ基地局（ＢＳ）１０４を有する。ここにおいて用いられるデュアルモードＭＳは、一般に、２つの異なる無線アクセス技術（ＲＡＴ）、例えばＷｉＭＡＸ信号及びＣＤＭＡ信号の両方、を処理することが可能なＭＳを意味する。ＷｉＭＡＸセル１０２と同様に、各ＣＤＭＡセル４０４は、典型的に、ユーザ端末、例えばデュアルモードＭＳ４２０、とのＣＤＭＡエボリューション−データ最適化（ＥＶＤＯ：Evolution-Data Optimized）通信又は１ｘ無線送信技術（１ｘＲＴＴ、又は単に１ｘ）通信を容易にするためにＣＤＭＡ  ＢＳ４１０を有する。
【００４６】
図４Ａの移動性シナリオによって示されるように、ＭＳ４２０は、ＷｉＭＡＸ  ＢＳ１０４のカバレッジエリアから出てＣＤＭＡ  ＢＳ４１０のカバレッジエリアに入ることができる。ＷｉＭＡＸセル１０２からＣＤＭＡセル４０４に移行中に、ＭＳ４２０は、ＭＳが両方のネットワークから信号を受信することができるカバレッジ重複エリア４０８に入ることができる。
【００４７】
ＭＳがＷｉＭＡＸ  ＢＳからＣＤＭＡ  ＢＳへのハンドオーバプロセスをインプリメントすることができるのはこの移行中である。異なるネットワークタイプの２つのＢＳ間における、例えばＷｉＭＡＸからＣＤＭＡ  ＥＶＤＯ／１ｘへの、ハンドオーバは、同じネットワークタイプの２つのＢＳ間におけるハンドオーバと関連する通常の問題点に加えて、サービスの継続性に対するさらなる問題点を引き起こし、それらは、ハンドオーバが生じたときにＭＳがデータ転送プロセス中である場合に特に重大である。この理由は、近隣のＷｉＭＡＸネットワーク及びＣＤＭＡ  ＥＶＤＯ／１ｘネットワークのコアネットワークが現時点では真にシームレスなハードハンドオフのためのインタフェースをサポートしていないためである。従って、ＷｉＭＡＸネットワークからＣＤＭＡネットワークへのハンドオーバを素早く行うとともにデュアルモードＭＳがサービスの途絶を最小限にすることができるようにするための技法及び装置が必要である。
【００４８】
本開示の実施形態は、デュアルモードＭＳがＷｉＭＡＸ  ＢＳによって提供されるＣＤＭＡ近隣指示情報に基づいてＷｉＭＡＸネットワークからＣＤＭＡ  ＥＶＤＯ／１ｘネットワークにハンドオーバするのを可能にする方法及び装置を提供する。該技法は、ＭＳがＷｉＭＡＸからＣＤＭＡネットワークのカバレッジに移動する間におけるサービスの継続性を向上させることができる。
【００４９】
図５は、デュアルモードＭＳ４２０の観点からのＷｉＭＡＸネットワークサービスからＣＤＭＡ  ＥＶＤＯ／１ｘネットワークサービスへの該ＢＳによってアシストされたハンドオーバのための動作例のフローチャートである。動作は、５００において、ＷｉＭＡＸ  ＢＳからブロードキャストされたＣＤＭＡ近隣指示情報を受信することによって開始することができる。ＣＤＭＡ近隣指示情報は、既存のＷｉＭＡＸ  ＭＡＣ管理メッセージにおける、例えばダウンリンクチャネルディスクリプタ（ＤＣＤ：Downlink Channel Descriptor）及び／又はアップリンクチャネルディスクリプタ（ＣＣＤ：Uplink Channel Descriptor）メッセージ内における、新たに定義されたブロードキャストメディアアクセス制御（ＭＡＣ）管理メッセージ又は新しい情報要素（ＩＥ）であることができる。ＣＤＭＡ近隣指示情報は、ＭＳをハンドオーバすることができる対象となる１つの又は複数の候補ＣＤＭＡ  ＥＶＤＯ／１ｘ  ＢＳを示すことができる。
【００５０】
今度は幾つかの実施形態に関して図６を参照し、ＣＤＭＡ近隣指示情報は、ＭＡＣプロトコルデータユニット（ＰＤＵ）６００としてブロードキャストされた新たに定義されたＣＤＭＡ近隣指示ＭＡＣ管理メッセージ内に含めることができる。幾つかの実施形態においては、ＣＤＭＡ近隣指示ＭＡＣ管理メッセージは、複数のＭＡＣ  ＰＤＵに分割することができる。典型的なＭＡＣ  ＰＤＵ６００は、３つのコンポーネント、すなわち、６バイトの長さを有し及びＰＤＵ制御情報を含む一般的ＭＡＣヘッダ（ＧＭＨ）６０２、ＰＤＵタイプ専用の情報を含むペイロード６０４と呼ばれる可変長のＰＤＵ本体、及びＩＥＥＥ３２ビット（４バイト）巡回冗長検査（ＣＲＣ）６０６符号を含むことができる任意選択のフレーム検査シーケンス（ＦＣＳ）、から成ることができる。
【００５１】
ペイロード６０４は、実際のＭＡＣ管理メッセージ（例えば、ＣＤＭＡ近隣指示情報）を含み、ＣＲＣが存在しない場合は長さが０乃至２０４１バイトの間で変わることができ又はＣＲＣ６０６が存在する場合は０乃至２０３７バイトの間で変わることができる。ＯＦＤＭＡに関しては、ＣＲＣ６０６が典型的には必須である。ＣＤＭＡ近隣指示ＭＡＣ管理メッセージに関して、ペイロード６０４は、近隣ＣＤＭＡチャネルごとに次の情報、すなわち、ＣＤＭＡ  ＥＶＤＯ／１ｘプロトコル改訂６１０、帯域クラス６１２、チャネル番号６１４、システム識別番号（ＳＩＤ）、ネットワーク識別番号（ＮＩＤ）、及びパケットゾーンＩＤ６１６、及びパイロット疑似雑音（ＰＮ）オフセット６１８、を備えることができる。
【００５２】
図５に戻り、ＣＤＭＡ近隣指示情報が受信された時点で、デュアルモードＭＳは、５１０においてスキャンを開始することができる。ＷｉＭＡＸネットワークにおけるデータパケットを失わずにＣＤＭＡ  ＥＶＤＯ／１ｘネットワークをスキャンするために、現在のあらゆるデータ送信を一時的に中断させることができる。このため、ＭＳは、スキャンを開始するために、ＭＳがＣＤＭＡ  ＥＶＤＯ／１ｘネットワークをスキャンするためにＷｉＭＡＸネットワークとの通信を行うことができない一定の時間間隔をＢＳに知らせることを目的としてスキャンインターバル割り当て要求（ＭＯＢ＿ＳＣＮ−ＲＥＱ）メッセージをＷｉＭＡＸ  ＢＳに送信することによってＷｉＭＡＸネットワークとの現在のあらゆるデータ送信の中断を要求することができる。
【００５３】
ＭＯＢ＿ＳＣＮ−ＲＥＱメッセージは、スキャン継続時間、インターリービングインターバル、及びスキャン繰り返し等のパラメータを備えることができる。スキャン継続時間は、要求されたスキャン期間の継続時間（単位はＯＦＤＭ／ＯＦＤＭＡフレーム）であることができ、インターリービング間隔は、スキャン継続時間の間においてインターリービングされたＭＳの通常の動作の期間であることができ、スキャン繰り返しは、ＭＳによる繰り返しスキャン間隔の要求された数であることができる。これらのパラメータは、図７に関してさらに詳細に説明される。
【００５４】
スキャン要求が許可された（すなわち、デュアルモードＭＳがスキャン間隔割り当て応答（ＭＯＢ＿ＳＣＮ−ＲＳＰ）メッセージをＷｉＭＡＸ  ＢＳから受信した）時点で、ＭＳは、以前に受信されたＣＤＭＡ近隣指示情報を用いて５２０においてＣＤＭＡ  ＢＳに関するＥＶＤＯ又は１ｘネットワークのスキャンに進むことができる。この詳細な情報を用いて、ＭＳは、ハンドオーバプロセスのための準備をし、そしてそれによってハンドオーバプロセスを加速化するために１つ以上のＥＶＤＯ又は１ｘＢＳからのＣＤＭＡ  ＢＳパイロットチャネルを素早くサーチし、チャネル品質の状態を測定し、及び／又はＣＤＭＡ  ＥＶＤＯ／１ｘ制御チャネルにおけるセクタパラメータ又はシステムパラメータメッセージを読み取ることができる。
【００５５】
図７は、ＭＳがＣＤＭＡ  ＥＶＤＯ又は１ｘネットワークスキャンを行うスキャンインターバルを示す。ＭＳは、５００においてＣＤＭＡ近隣指示情報を受信し及び５１０においてＣＤＭＡスキャンを開始した時点で、開始フレーム７１０においてＣＤＭＡ基地局に関するスキャンを開始することができる。その後は、ＭＳは、予め決められたスキャン継続時間７２０の間にＣＤＭＡネットワークに関してスキャンすることができ、そのスキャンの終了時には、ＭＳは、予め決められたインターリービングインターバル７２２の間スキャンを中止してデータ交換を伴う通常の動作を再開することができる。スキャンとインターリービングのこの交互パターンは、要求されたＣＤＭＡ  ＢＳスキャンの終了まで続くことができる。ＭＯＳ＿ＳＣＮ−ＲＥＱスキャン繰り返しパラメータは、複数のスキャン繰り返しではなく、幾つかの実施形態のための単一のスキャン繰り返しを示すことができる。該場合においては、ＣＤＭＡ  ＢＳに関するスキャンは、単一のスキャン継続時間しか含むことができない。
【００５６】
ＣＤＭＡ  ＢＳスキャンの結果に依存して、ＭＳは、５３０においてＣＤＭＡ  ＢＳへのハンドオーバを開始すべきかどうかを決定することができ及びハンドオーバのための適切なＣＤＭＡ  ＥＶＤＯ／１ｘＢＳを選択することができる。ハードハンドオフ（ＨＨＯ）をサポートするＭＳに関しては、サービスを提供するＷｉＭＡＸ  ＢＳが第１の閾値よりも小さい平均搬送波対干渉及び雑音比（ＣＩＮＲ）、第２の閾値よりも小さい平均受信信号強度インジケータ（ＲＳＳＩ）、及び／又は第３の閾値よりも大きいＢＳ往復遅延（ＲＴＤ）を有するときにハンドオーバを行う決定をすることができる。高速基地局切り替え（ＦＢＳＳ）又はマクロダイバーシティハンドオーバ（ＭＤＨＯ）をサポーするＷｉＭＡＸ  ＭＳに関して、ハンドオーバは、ダイバーシティセット内の全ＷｉＭＡＸ  ＢＳがドロップ（ｄｒｏｐ）しようとしている、すなわちＨ＿Ｄｅｌｅｔｅよりも小さい平均ＣＩＮＲを有するときにトリガすることができる。ＭＳが選択されたＣＤＭＡ  ＢＳへのハンドオーバを行わないことを決定した場合は、ＭＳは、５２０においてＣＤＭＡ  ＢＳに関するスキャンを再開することができる。
【００５７】
５３０において、選択されたＣＤＭＡ  ＢＳへのハンドオーバを行う決定がされた場合は、ハンドオーバ中において、ＭＳは、サービスを提供するＷｉＭＡＸ  ＢＳに登録取り消し要求（ＤＲＥＧ−ＲＥＱ）メッセージを送信することによってアイドル状態になる意図であることをシグナリングすることができる。ＭＳは、ＷｉＭＡＸ  ＢＳからの応答（例えば、登録取り消しコマンド（ＤＲＥＧ−ＣＭＤ）メッセージ）又は時間切れを受信した時点で、５４０においてＷｉＭＡＸ  ＢＳとの接続を終了させることができる。データ接続を終了後、ＭＳは、選択されたＣＤＭＡ  ＥＶＤＯ／１ｘ  ＢＳにアクセスすること及び選択されたＣＤＭＡ  ＥＶＤＯ／１ｘ  ＢＳとの新しいデータセッション及び接続を設定することができる。しかしながら、予め決められた期限前にＣＤＭＡ  ＥＶＤＯ／１ｘネットワークへのハンドオーバが失敗した場合でも、デュアルモードＭＳは、以前のデータセッションを再開するためにＷｉＭＡＸ標準において規定されるようにアイドルモード後にネットワークに再度入るための手順を用いてＷｉＭＡＸネットワークに戻ることができる。
【００５８】
上記においては、ＢＳによってアシストされるハンドオーバは、デュアルモードＭＳ４２０の観点から説明されているため、図８は、ＷｉＭＡＸ  ＢＳ１０４の観点からのＷｉＭＡＸネットワークからＣＤＭＡ  ＥＶＤＯ又は１ｘネットワークへのＢＳによってアシストされるハンドオーバを行うための動作例のフローチャートを示す。動作は、８００において、ＣＤＭＡ近隣指示情報を送信して１つ以上の移動局がこの情報を受信できるようにすることによって開始することができる。上述されるように、ＣＤＭＡ近隣指示情報は、（図６に示され及び上述されるような）新たに定義されたＭＡＣ管理メッセージ又は既存のＷｉＭＡＸ  ＭＡＣ管理メッセージ内の、例えばＤＣＤメッセージ及び／又はＵＣＤメッセージ内の、新しいＩＥであることができる。ＣＤＭＡ近隣指示情報は、ＭＳをハンドオーバすることができる対象となる１つの又は複数の候補ＣＤＭＡ  ＥＶＤＯ／１ｘＢＳを示すことができる。
【００５９】
ＷｉＭＡＸ  ＢＳは、スキャンインターバル割り当て要求（ＭＯＢ＿ＳＣＮ−ＲＥＱ）メッセージを受信後に、スキャンインターバル割り当て応答（ＭＯＢ＿ＳＣＮ−ＲＳＰ）メッセージで応答することができる。ＭＯＢ＿ＳＣＮ−ＲＳＰメッセージは、スキャン要求を許可するか又は拒否することができる。ＷｉＭＡＸ  ＢＳが８１０においてＣＤＭＡスキャンを許可した場合は、８２０において、ＷｉＭＡＸ  ＢＳは、デュアルモードＭＳ４２０がＣＤＭＡ  ＥＶＤＯ又は１ｘネットワークをスキャンするのを可能にするために、図７に示されるように要求されたスキャン継続時間７２０中にデュアルモードＭＳ４２０とのデータ交換を一時的に中断させることができる。８３０においてアイドルモード要求（例えば、ＤＲＥＧ−ＲＥＱ）が受信された時点で、８４０において、ＷｉＭＡＸ  ＢＳは、デュアルモードＭＳとのＷｉＭＡＸ接続を終了させることができる。
【００６０】
図９は、ＷｉＭＡＸからＣＤＭＡ  ＥＶＤＯ／１ｘへのＢＳによってアシストされたハンドオーバ手順を示し、デュアルモードＭＳ４２０と、ＷｉＭＡＸ  ＢＳ１０４と、ＣＤＭＡ  ＢＳ４１０との間のインタラクションの詳細を示す。前述されるように、ＷｉＭＡＸからＣＤＭＡ  ＥＶＤＯ／１ｘへのハンドオーバプロセスは、９３０においてＭＳがＷｉＭＡＸ  ＢＳからＣＤＭＡ近隣指示情報を受信することによって開始することができる。次に９４０において、ＭＳは、スキャンインターバル割り当て要求（ＭＯＢ＿ＳＣＮ−ＲＥＱ）をＷｉＭＡＸ  ＢＳに送信することができる。９５０において、ＷｉＭＡＸ  ＢＳは、要求を許可するスキャンインターバル割り当て応答（ＭＯＢ＿ＳＣＮ−ＲＳＰ）によって応答することができる。その後、９６０において、ＭＳは、ハンドオーバの準備のために、ＣＤＭＡ近隣指示情報を用いてＣＤＭＡ  ＥＶＤＯ／１ｘ  ＢＳをスキャンし、ＣＤＭＡ  ＥＶＤＯ／１ｘチャネル状態を測定し、及びセクタ／システムパラメータを読み取ることができる。９７０において実際のハンドオーバのためのトリガが受信されたときに、ＭＳは、９８０において、登録解消要求（ＤＲＥＧ−ＲＥＱ）をＷｉＭＡＸ  ＢＳに送信することができる。９８５においてそれに応答して、ＷｉＭＡＸ  ＢＳは、登録解消コマンド（ＤＲＥＧ−ＣＭＤを送信してＭＳがＷｉＭＡＸ  ＢＳとの通常の動作を終了させるようにＭＳに命令することができる。これで、９９０において、ＭＳは、新しいＣＤＭＡ  ＥＶＤＯ／１ｘ  ＢＳにアクセスすることができ及び新しいデータセッション及び接続を設定することができる。  
ＣＤＭＡからＷｉＭＡＸへの例示的なハンドオーバ
図４Ｂは、ＣＤＭＡセル４０４がＷｉＭＡＸセル１０２に隣接する移動性シナリオを示す。ＣＤＭＡセル４０４の少なくとも一部はＷｉＭＡＸ信号のためのカバレッジを提供することもできるが、本開示の実施形態の目的のために、ＣＤＭＡセル４０４は、現在は、ユーザ端末、例えばデュアルモードＭＳ４２０、と通信するためにＣＤＭＡエボリューション−データ最適化（ＥＶＤＯ）を利用することができる。各ＣＤＭＡセル４０４は、典型的に、デュアルモードＭＳ４２０とのＣＤＭＡ  ＥＶＤＯネットワーク通信を容易にするためのＣＤＭＡ  ＢＳ４１０を有する。
【００６１】
図４Ｂの移動性シナリオによって示されるように、ＭＳ４２０は、ＣＤＭＡ  ＢＳ４１０のカバレッジエリアから出てＷｉＭＡＸ  ＢＳ１０４のカバレッジエリアに入ることができる。ＣＤＭＡセル４０４からＷｉＭＡＸセル１０２に移行中に、ＭＳ４２０は、ＭＳが両方のネットワークから信号を受信することができるカバレッジ重複エリア４０８に入ることができる。
【００６２】
ＭＳがＣＤＭＡ  ＢＳからＷｉＭＡＸ  ＢＳへのハンドオーバプロセスをインプリメントすることができるのはこの移行中である。異なるネットワークタイプの２つのＢＳ間における、例えばＣＤＭＡ  ＥＶＤＯからＷｉＭＡＸへの、ハンドオーバは、同じネットワークタイプの２つのＢＳ間におけるハンドオーバと関連する通常の問題点に加えて、サービスの継続性に対するさらなる問題点を引き起こし、それらは、ハンドオーバが生じたときにＭＳがデータ転送プロセス中である場合に特に重大である。この理由は、近隣のＣＤＭＡ  ＥＶＤＯネットワーク及びＷｉＭＡＸネットワークのコアネットワークが現時点では真にシームレスなハードハンドオフのためのインタフェースをサポートしていないためである。従って、デュアルモードＭＳがＣＤＭＡ  ＥＶＤＯネットワークからＷｉＭＡＸネットワークへのハンドオーバを素早く行うとともにサービスの途絶を最小限にすることができるようにするための技法及び装置が必要である。
【００６３】
本開示の実施形態は、デュアルモードＭＳがＣＤＭＡ  ＢＳによって提供されるＷｉＭＡＸ近隣指示情報に基づいてＣＤＭＡ  ＥＶＤＯネットワークからＷｉＭＡＸネットワークにハンドオーバするのを可能にする方法及び装置を提供する。該技法は、ＭＳがＣＤＭＡネットワークからＷｉＭＡＸネットワークのカバレッジに移動する間におけるサービスの継続性を向上させることができる。
【００６４】
図１０は、デュアルモードＭＳ４２０の観点からのＣＤＭＡ  ＥＶＤＯネットワークサービスからＷｉＭＡＸネットワークサービスへの該ＢＳによってアシストされるハンドオーバのための動作例のフローチャートである。動作は、１０００において、１つ以上の近隣のＷｉＭＡＸ  ＢＳを認識しているＣＤＭＡ  ＢＳからブロードキャストされたＷｉＭＡＸ近隣指示情報を受信することによって開始することができる。ＷｉＭＡＸ近隣指示情報は、例えば新しいセクタブロードキャストメッセージとしてブロードキャストされた場合は、ＭＳをハンドオーバすることができる対象となる１つの又は複数の候補ＷｉＭＡＸ  ＢＳを示すことができる。ＷｉＭＡＸ近隣指示情報は、近隣のＷｉＭＡＸセグメントごとの次の情報、すなわち、周波数割り当て（ＦＡ）インデックス、帯域幅、ＦＦＴのサイズ、ＯＦＤＭ／ＯＦＤＭＡフレーム継続時間、サイクリックプリフィックスの比（ＣＰ）、オペレータＩＤ、プリアンブルインデックス、等、を含むことができる。
【００６５】
ＷｉＭＡＸ近隣指示情報が受信された時点で、１０１０において、デュアルモードＭＳはＷｉＭＡＸネットワークのスキャンを開始することができる。ＣＤＭＡ  ＥＶＤＯネットワークにおけるデータパケットを失わずにＷｉＭＡＸネットワークをスキャンするために、現在のあらゆるデータ送信を一時的に中断させることができる。従って、ＷｉＭＡＸスキャンを開始するために、ＭＳは、ＭＳがＷｉＭＡＸネットワークをスキャンするためにＣＤＭＡ  ＥＶＤＯネットワークとの通信を行うことができないことをＢＳに知らせるためにデータレート制御（ＤＲＣ）カバーとしての“ヌルカバー”をＣＤＭＡ  ＢＳに送信することによってＣＤＭＡ  ＥＶＤＯネットワークとの現在のデータ送信の中断を要求することができる。
【００６６】
ＣＤＭＡ  ＥＶＤＯ  ＢＳにＤＲＣカバーを送信後は、ＭＳは、１０２０において、以前に受信されたＷｉＭＡＸ近隣指示情報を用いてＷｉＭＡＸネットワークをスキャンすることができる。この詳細な情報を用いることで、ＭＳは、ハンドオーバプロセスの準備をし、そしてそれによってハンドオーバプロセスを加速させることを目的として、ＷｉＭＡＸ  ＢＳプリアンブルを素早く探索し、チャネル品質状態を測定し、及び／又はダウンリンクチャネルディスクリプタ（ＤＣＤ）メッセージ及びアップリンクチャネルディスクリプタ（ＵＣＤ）メッセージを取得することができる。
【００６７】
スキャンに引き続き、ＭＳは、ＤＲＣカバー＝セクタカバーメッセージをＣＤＭＡ  ＥＶＤＯ  ＢＳに送信することによってスキャンプロセスの完了をＣＤＭＡ  ＥＶＤＯ  ＢＳに知らせることができる。さらに、１つ以上の新しい候補ＷｉＭＡＸ  ＢＳを候補セットに加えることができる。
【００６８】
ＷｉＭＡＸ  ＢＳスキャンの結果に依存して、ＭＳは、１３０においてＷｉＭＡＸへのハンドオーバを開始すべきかどうかを決定することができ及びハンドオーバのための該当するＷｉＭＡＸ  ＢＳを選択することができる。ＭＳをハンドオーバすることができる対象となる２つ以上の候補のＷｉＭＡＸ  ＢＳが存在する場合は、最も強力な受信された信号電力（すなわち、ＲＳＳＩ）又は最大ＣＩＮＲに基づいて最も適切なＷｉＭＡＸ  ＢＳを選択することができる。例えば、ハンドオーバは、アクティブなセット内のすべてのパイロットがドロップするところであるときに生じることができる。ＭＳが選択されたＷｉＭＡＸ  ＢＳへのハンドオーバを行わないことを決定した場合は、ＭＳは、１０２０においてＷｉＭＡＸ  ＢＳに関してスキャンを再開することができる。
【００６９】
１０３０において、選択されたＷｉＭＡＸ  ＢＳへのハンドオーバを行う決定が行われた場合は、ハンドオーバ中に、ＭＳは、１０４０において、ＣＤＭＡ  ＥＶＤＯネットワークとのデータ接続を終了させるために及び休止状態に入るために接続終了メッセージをＣＤＭＡ  ＢＳに送信することができる。１０４０においてＣＤＭＡ接続を終了後は、ＭＳは、選択されたＷｉＭＡＸ  ＢＳにアクセスすること及び選択されたＷｉＭＡＸ  ＢＳとの新しいデータセッション及び接続を開始することができる。しかしながら、ＷｉＭＡＸネットワークへのハンドオーバが予め決められた期限前に失敗した場合は、ＭＳは、ＣＤＭＡ  ＥＶＤＯ標準において規定されるように休止状態手順からの再起動を用いてＣＤＭＡ  ＥＶＤＯネットワークに戻って前回のデータセッションを再開することができる。
【００７０】
上記においてはＢＳによってアシストされるハンドオーバはＭＳ４２０の観点から説明されているため、図１１は、ＣＤＭＡ  ＢＳ４１０の観点からのＣＤＭＡ  ＥＶＤＯネットワークからＷｉＭＡＸネットワークへのＢＳによってアシストされるハンドオーバを行うための動作例のフローチャートを示す。動作は、１１００において、ＷｉＭＡＸ近隣指示情報を送信して１つ以上の移動局がこの情報を受信できるようにすることによって開始することができる。上述されるように、ＷｉＭＡＸ近隣指示情報は、セクタブロードキャストメッセージとして送信することができる。ＷｉＭＡＸ近隣指示情報は、ＭＳをハンドオーバさせることができる対象となる１つの又は複数の候補ＷｉＭＡＸ  ＢＳを示すことができる。
【００７１】
１１１０において“ヌルカバー”に相当するＤＲＣカバーを受信した後は、ＣＤＭＡ  ＢＳは、デュアルモードＭＳ４２０がＷｉＭＡＸ  ＢＳに関してスキャンするのを可能にするために１１２０においてそのＭＳとのデータ交換を一時的に中断させることができる。１１３０において接続終了メッセージが受信された時点で、ＣＤＭＡ  ＢＳは、１１４０において、デュアルモードＭＳ４２０とのＥＶＤＯ接続を終了させることができる。
【００７２】
図１２は、ＢＳによってアシストされるＣＤＭＡ  ＥＶＤＯからＷｉＭＡＸへのハンドオーバ手順をさらに示し、デュアルモードＭＳ４２０と、ＣＤＭＡ  ＢＳ４１０と、ＷｉＭＡＸ  ＢＳ１０４との間のインタラクションの詳細を示す。上述されるように、ＣＤＭＡ  ＥＶＤＯからＷｉＭＡＸへのハンドオーバプロセスは、ＭＳが１２３０においてＷｉＭＡＸ近隣指示情報をＣＤＭＡ  ＢＳから受信したときに開始することができる。１２４０において、ＭＳは、ＷｉＭＡＸ基地局に関してスキャンを行うことを可能にし、及びＥＶＤＯネットワークとのデータ交換を一時的に中断させることをＣＤＭＡ  ＥＶＤＯ  ＢＳに要求するＤＲＣカバー＝ヌルカバーメッセージを送信することができる。１２５０において、ＭＳは、ＷｉＭＡＸ近隣指示情報を用いてＷｉＭＡＸ  ＢＳをスキャンすることができ及びハンドオーバ準備のためにＷｉＭＡＸチャネル状態を測定することができる。ＷｉＭＡＸスキャンに引き続き、ＭＳは、１２６０においてＤＲＣカバー＝セクタカバーメッセージをＣＤＭＡ  ＥＶＤＯＢＳに送信することによってスキャンプロセスの完了をＣＤＭＡ  ＥＶＤＯ  ＢＳに知らせることができる。１２７０において候補ＷｉＭＡＸ  ＢＳのうちの１つを選択し及びＷｉＭＡＸネットワークへのハンドオーバを行うことを決定した時点で、ＭＳは、１２８０において接続終了メッセージをＣＤＭＡ  ＢＳに送信することができる。これで、ＭＳは、１２９０において新しいＷｉＭＡＸ  ＢＳにアクセスすることができ及び新しいデータセッション及び接続を設定することができる。
【００７３】
上述される方法の様々な動作は、諸図に示される手段及び機能（ｍｅａｎｓ−ｐｌｕｓ−ｆｕｎｃｔｉｏｎ）のブロックに対応する様々なハードウェアコンポーネント及び／又はソフトウェアコンポーネント及び／又はモジュールによって行うことができる。概して、対応する手段及び機能の図を有する諸図において方法が存在する場合は、動作ブロックは、同様の数字を有する手段及び機能のブロックに対応する。例えば、図５に示されるブロック５００乃至５４０は、図５Ａに示される手段及び機能のブロック５００Ａ乃至５４０Ａに対応する。
【００７４】
ここにおいて用いられる表現“決定する”は、非常に様々な動作を包含する。例えば、“決定する”は、計算することと、演算することと、処理することと、導出することと、調査することと、検索する（例えば、テーブル、データベース又は他のデータ構造において検索する）ことと、確認することと、等を含むことができる。さらに、“決定する”は、受信する（例えば、情報を受信する）、アクセスする（例えば、メモリ内のデータにアクセスする）ことと、等を含むことができる。さらに、“決定する”ことは、解決することと、選抜することと、選択することと、確立することと、等を含むことができる。
【００７５】
情報及び信号は、様々な異なる技術及び技法のうちのいずれかを用いて表すことができる。例えば、上記の説明全体を通じて参照されることがあるデータ、命令、コマンド、情報、信号、等は、電圧、電流、電磁波、磁場、磁気粒子、光学場、光学粒子、又はそのあらゆる組合せによって表すことができる。
【００７６】
本開示と関係して説明される様々な例示的な論理ブロック、モジュール及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ信号（ＦＰＧＡ）、その他のプログラミング可能な論理デバイス（ＰＬＤ）、ディスクリートゲートロジック、ディスクリートトランジスタロジック、個別のハードウェアコンポーネント、又はそのあらゆる組合せ、とともにインプリメントすること又は実行することができる。汎用プロセッサはマイクロプロセッサであることができるが、代替においては、市販のどのようなプロセッサ、コントローラ、マイクロコントローラ、又はステートマシンであってもよい。さらに、プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、としてインプリメントすることもできる。
【００７７】
本開示と関係させて説明される方法又はアルゴリズムのステップは、ハードウェア内において直接具現化させること、プロセッサによって実行されるソフトウェアモジュール内において具現化させること、又はこれらの２つの組合せにおいて具現化させることができる。ソフトウェアモジュールは、当業において既知であるあらゆる形態の記憶媒体において常駐する（例えば、格納する、符号化する、等）ことができる。使用することができる記憶媒体の幾つかの例は、ランダムアクセスメモリ（ＲＡＭ）と、読み取り専用（ＲＯＭ）メモリと、フラッシュメモリと、ＥＰＲＯＭメモリと、ＥＥＰＲＯＭメモリと、レジスタと、ハードディスクと、取り外し可能なディスクと、ＣＤ−ＲＯＭと、等を含む。ソフトウェアモジュールは、単一の命令、又は数多くの命令を備えることができ、及び幾つかの異なる符号セグメントにわたって、異なるプログラム間で、及び複数の記憶媒体にわたって分散させることができる。記憶媒体は、プロセッサに結合し、該プロセッサが記憶媒体から情報を読み出すようにすること及び記憶媒体に情報を書き込むようにすることができる。代替においては、記憶媒体は、プロセッサと一体化させることができる。
【００７８】
ここにおいて開示される方法は、説明される方法を達成させるための１つ以上のステップ又は動作を備える。方法のステップ及び／又は動作は、請求項の適用範囲を逸脱することなしに互換することができる。換言すると、ステップ又は動作の特定の順序が指定されないかぎり、特定のステップ及び／又は動作の順序及び／又は使用は、請求項の適用範囲を逸脱することなしに変更することができる。
【００７９】
説明される機能は、ハードウェア、ソフトウェア、ファームウェア、又はその組み合わせにおいてインプリメントすることができる。ソフトウェアにおいてインプリメントされる場合は、これらの機能は、命令として又は１つ以上の組の命令としてコンピュータによって読み取り可能な媒体又は記憶媒体に格納することができる。記憶媒体は、コンピュータによって又は１つ以上の処理デバイスによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスクストレージ、磁気ディスクストレージ又はその他の磁気記憶デバイス、又はコンピュータによってアクセス可能な命令又はデータ構造の形態で希望されるプログラムコードを搬送又は格納するために用いることができるその他の媒体、を備えることができる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタル多用途ディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは通常は磁気的にデータを複製し、ｄｉｓｃは通常はレーザを用いて光学的にデータを複製する。
【００８０】
ソフトウェア又は命令は、送信媒体を通じて送信することもできる。例えば、ソフトウェアが、同軸ケーブル、光ファイバーケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバーケーブル、より対線、ＤＳＬ、又は無線技術、例えば赤外線、無線、及びマイクロ波、は、送信媒体の定義の中に含まれる。
【００８１】
さらに、例えば図において示されるような、ここにおいて説明される方法及び技法を実行するためのモジュール及び／又はその他の該当する手段は、適宜ユーザ端末及び／又は基地局によってダウンロードすること及び／又はその他の方法で入手することができることが評価されるべきである。例えば、該デバイスは、ここにおいて説明される方法を実行するための手段の転送を容易にするためにサーバに結合することができる。代替として、ここにおいて説明される様々な方法は、記憶手段（例えば、ＲＡＭ、ＲＯＭ、物理的記憶媒体、例えばコンパクトディスク（ＣＤ）又はフロッピーディスク、等）を介して提供することができ、このため、ユーザ端末及び／又は基地局は、結合した時点で又は記憶媒体をデバイスに提供した時点で様々な方法を入手することができる。さらに、ここにおいて説明される方法及び技法をデバイスに提供するためのその他の適切な技法を利用することができる。
【００８２】
請求項は、上述される正確な構成及びコンポーネントに制限されないことが理解されるべきである。上述される方法及び装置の配置、動作及び詳細は、請求項の範囲を逸脱することなしに様々な修正、変更及び変形を行うことができる。
【図１】
2014003635.tif 000003
【図２】
2014003635.tif 000004
【図３】
2014003635.tif 000005
【図４Ａ】
2014003635.tif 000006
【図４Ｂ】
2014003635.tif 000007
【図５】
2014003635.tif 000008
【図５Ａ】
2014003635.tif 000009
【図６】
2014003635.tif 000010
【図７】
2014003635.tif 000011
【図８】
2014003635.tif 000012
【図８Ａ】
2014003635.tif 000013
【図９】
2014003635.tif 000014
【図１０】
2014003635.tif 000015
【図１０Ａ】
2014003635.tif 000016
【図１１】
2014003635.tif 000017
【図１１Ａ】
2014003635.tif 000018
【図１２】
2014003635.tif 000019
【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
第１及び第２の無線アクセス技術（ＲＡＴ）を介してネットワークサービス間でのモバイルデバイスのハンドオーバを行うための方法であって、
前記第１のＲＡＴを介して通信する一方で、前記第２のＲＡＴを介してネットワークサービスに関する近隣指示情報を受信することと、なお、前記第１のＲＡＴは第１のマクロセルと関連し、前記第２のＲＡＴは第２のマクロセルと関連し、前記第１及び第２のマクロセルは異なる、
前記第１のＲＡＴを介した前記モバイルデバイスへのデータ送信を中断することと、
前記受信された近隣指示情報を用いた前記第２のＲＡＴに関するスキャンの結果に基づいて、前記第２のマクロセルに関連する前記第２のＲＡＴを介してネットワークサービスにハンドオーバすることを決定することと、なお、前記モバイルデバイスへの前記データ送信が中断される一方で、前記スキャンは行われる、
前記第１のＲＡＴのアイドルモードまたは休止状態になる時点で前記第１のＲＡＴを介した通信を終了することと、なお、前記第２のＲＡＴを介したデータ送信を再開する前に、前記第１のＲＡＴの前記アイドルモードまたは休止状態になる、
前記第２のＲＡＴを介した前記データ送信を再開することと、
を備える方法。
【請求項２】
前記第１のＲＡＴは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報は、ＣＤＭＡ近隣指示情報である、
請求項１に記載の方法。
【請求項３】
前記第２のＲＡＴは、ＣＤＭＡエボリューション−データ最適化（ＥＶＤＯ）又はＣＤＭＡ１ｘである、
請求項２に記載の方法。
【請求項４】
前記ＣＤＭＡ近隣指示情報は、既存のメディアアクセス制御（ＭＡＣ）管理メッセージにおける新しい情報要素（ＩＥ）である、
請求項２に記載の方法。
【請求項５】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項４に記載の方法。
【請求項６】
前記ＣＤＭＡ近隣指示情報は、新たに定義されたメディアアクセス制御（ＭＡＣ）管理メッセージである、
請求項２に記載の方法。
【請求項７】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項６に記載の方法。
【請求項８】
前記第１のＲＡＴは、ＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
請求項１に記載の方法。
【請求項９】
前記第１のＲＡＴは、ＣＤＭＡエボリューション−データ最適化（ＥＶＤＯ）である、
請求項８に記載の方法。
【請求項１０】
新セクタブロードキャストメッセージは、前記ＷｉＭＡＸ近隣指示情報を備える、
請求項８に記載の方法。
【請求項１１】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項８に記載の方法。
【請求項１２】
その上に格納された命令を有する非トランジトリなコンピュータ可読媒体を備える第１及び第２の無線アクセス技術（ＲＡＴ）を介してネットワークサービス間でのモバイルデバイスのハンドオーバを行うためのコンピュータプログラム装置であって、前記命令は、１つ以上のプロセッサによって実行可能であり、前記命令は、
前記第１のＲＡＴを介して通信する一方で、前記第２のＲＡＴを介してネットワークサービスに関する近隣指示情報を受信するための命令と、なお、前記第１のＲＡＴは第１のマクロセルと関連し、前記第２のＲＡＴは第２のマクロセルと関連し、前記第１及び第２のマクロセルは異なる、
前記第１のＲＡＴを介した前記モバイルデバイスへのデータ送信を中断するための命令と、
前記受信された近隣指示情報を用いた前記第２のＲＡＴに関するスキャンの結果に基づいて、前記第２のマクロセルに関連する前記第２のＲＡＴを介してネットワークサービスにハンドオーバすることを決定するための命令と、なお、前記モバイルデバイスへの前記データ送信が中断される一方で、前記スキャンは行われる、
前記第１のＲＡＴのアイドルモードまたは休止状態になる時点で前記第１のＲＡＴを介した通信を終了するための命令と、なお、前記第２のＲＡＴを介したデータ送信を再開する前に、前記第１のＲＡＴの前記アイドルモードまたは休止状態になる、
前記第２のＲＡＴを介した前記データ送信を再開するための命令と、
を備える、コンピュータプログラム装置。
【請求項１３】
前記第１のＲＡＴは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報はＣＤＭＡ近隣指示情報である、
請求項１２に記載のコンピュータプログラム装置。
【請求項１４】
前記第２のＲＡＴは、ＣＤＭＡエボリューション−データ最適化（ＥＶＤＯ）又はＣＤＭＡ１ｘである、
請求項１３に記載のコンピュータプログラム装置。
【請求項１５】
前記ＣＤＭＡ近隣指示情報は、既存のメディアアクセス制御（ＭＡＣ）管理メッセージにおける新しい情報要素（ＩＥ）である、
請求項１３に記載のコンピュータプログラム装置。
【請求項１６】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項１５に記載のコンピュータプログラム装置。
【請求項１７】
前記ＣＤＭＡ近隣指示情報は、新たに定義されたメディアアクセス制御（ＭＡＣ）管理メッセージである、
請求項１３に記載のコンピュータプログラム装置。
【請求項１８】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項１７に記載のコンピュータプログラム装置。
【請求項１９】
前記第１のＲＡＴは、ＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
請求項１２に記載のコンピュータプログラム装置。
【請求項２０】
前記第１のＲＡＴは、ＣＤＭＡエボリューション−データ最適化（ＥＶＤＯ）である、
請求項１９に記載のコンピュータプログラム装置。
【請求項２１】
新セクタブロードキャストメッセージは、前記ＷｉＭＡＸ近隣指示情報を備える、
請求項１９に記載のコンピュータプログラム装置。
【請求項２２】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項１９に記載のコンピュータプログラム装置。
【請求項２３】
第１及び第２の無線アクセス技術（ＲＡＴ）を介してネットワークサービス間でのハンドオーバを行うための装置であって、
前記第１のＲＡＴを介して通信する一方で前記第２のＲＡＴを介してネットワークサービスに関する近隣指示情報を受信するための手段と、前記第１のＲＡＴは第１のマクロセルと関連し、前記第２のＲＡＴは第２のマクロセルと関連し、前記第１及び第２のマクロセルは異なる、
前記第１のＲＡＴを介した前記モバイルデバイスへのデータ送信を中断するための手段と、
前記受信された近隣指示情報を用いた前記第２のＲＡＴに関するスキャンの結果に基づいて、前記第２のマクロセルに関連する前記第２のＲＡＴを介してネットワークサービスにハンドオーバすることを決定するための手段と、なお、前記モバイルデバイスへの前記データ送信が中断される一方で、前記スキャンは行われる、
前記第１のＲＡＴのアイドルモードまたは休止状態になる時点で前記第１のＲＡＴを介した通信を終了するための手段と、なお、前記第２のＲＡＴを介したデータ送信を再開する前に、前記第１のＲＡＴの前記アイドルモードまたは休止状態になる、
前記第２のＲＡＴを介した前記データ送信を再開するための手段と、
を備える装置。
【請求項２４】
前記第１のＲＡＴは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報はＣＤＭＡ近隣指示情報である、
請求項２３に記載の装置。
【請求項２５】
前記第２のＲＡＴは、ＣＤＭＡエボリューション−データ最適化（ＥＶＤＯ）又はＣＤＭＡ１ｘである、
請求項２４に記載の装置。
【請求項２６】
前記ＣＤＭＡ近隣指示情報は、既存のメディアアクセス制御（ＭＡＣ）管理メッセージにおける新しい情報要素（ＩＥ）である、
請求項２４に記載の装置。
【請求項２７】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項２６に記載の装置。
【請求項２８】
前記ＣＤＭＡ近隣指示情報は、新たに定義されたメディアアクセス制御（ＭＡＣ）管理メッセージである、
請求項２４に記載の装置。
【請求項２９】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項２８に記載の装置。
【請求項３０】
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
請求項２３に記載の装置。
【請求項３１】
前記第１のＲＡＴは、ＣＤＭＡエボリューション−データ最適化（ＥＶＤＯ）である、
請求項３０記載の装置。
【請求項３２】
前記受信するための手段は、前記ＷｉＭＡＸ近隣指示情報を含む新セクタブロードキャストメッセージを受信するように構成される、
請求項３０に記載の装置。
【請求項３３】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項３０に記載の装置。
【請求項３４】
無線通信のための受信機であって、
前記第１の無線アクセス技術（ＲＡＴ）を介して通信する一方で第２のＲＡＴを介してネットワークサービスに関する近隣指示情報を受信するように構成された通信論理と、なお、前記第１のＲＡＴは第１のマクロセルと関連し、前記第２のＲＡＴは第２のマクロセルと関連し、前記第１及び第２のマクロセルは異なる、
前記第１のＲＡＴを介した前記モバイルデバイスへのデータ送信を中断するように構成された中断要求論理と、
前記受信された近隣指示情報を用いた前記第２のＲＡＴに関するスキャンの結果に基づいて、前記第２のマクロセルに関連する前記第２のＲＡＴを介してネットワークサービスにハンドオーバすることを決定するように構成されたハンドオーバ決定論理と、なお、前記モバイルデバイスへの前記データ送信が中断される一方で、前記スキャンは行われる、
前記第１のＲＡＴのアイドルモードまたは休止状態になる時点で前記第１のＲＡＴを介した通信を終了するための状態移行論理と、なお、前記第２のＲＡＴを介したデータ送信を再開する前に、前記第１のＲＡＴの前記アイドルモードまたは休止状態になる、
前記第２のＲＡＴを介した前記データ送信を再開するように構成された送信再開論理と、
を備える受信機。
【請求項３５】
前記第１のＲＡＴは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報はＣＤＭＡ近隣指示情報である、
請求項３４に記載の受信機。
【請求項３６】
前記第２のＲＡＴは、ＣＤＭＡエボリューション−データ最適化（ＥＶＤＯ）又はＣＤＭＡ１ｘである、
請求項３５に記載の受信機。
【請求項３７】
前記ＣＤＭＡ近隣指示情報は、既存のメディアアクセス制御（ＭＡＣ）管理メッセージにおける新しい情報要素（ＩＥ）である、
請求項３５に記載の受信機。
【請求項３８】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項３７に記載の受信機。
【請求項３９】
前記ＣＤＭＡ近隣指示情報は、新たに定義されたメディアアクセス制御（ＭＡＣ）管理メッセージである、
請求項３５に記載の受信機。
【請求項４０】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項３９に記載の受信機。
【請求項４１】
前記第１のＲＡＴは、ＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
請求項３４に記載の受信機。
【請求項４２】
前記第１のＲＡＴは、ＣＤＭＡエボリューション−データ最適化（ＥＶＤＯ）である、
請求項４１に記載の受信機。
【請求項４３】
前記通信論理は、前記ＷｉＭＡＸ近隣指示情報を含む新セクタブロードキャストメッセージを受信するように構成される、
請求項４１に記載の受信機。
【請求項４４】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項４１に記載の受信機。
【請求項４５】
第１の無線アクセス技術（ＲＡＴ）を介して通信するための受信機フロントエンドと、
前記第１のＲＡＴを介して通信する一方で第２のＲＡＴを介してネットワークサービスに関する近隣指示情報を受信するように構成された通信論理と、なお、前記第１のＲＡＴは第１のマクロセルと関連し、前記第２のＲＡＴは第２のマクロセルと関連し、前記第１及び第２のマクロセルは異なる、
前記第１のＲＡＴを介して受信されたデータ送信の中断を要求するように構成された中断要求論理と、
前記データ送信が中断される一方で、前記受信された情報を用いて前記第２のＲＡＴに関してスキャンするように構成されたスキャン論理と、
前記スキャンの結果に基づいて、前記第２のマクロセルに関連する前記第２のＲＡＴを介してネットワークサービスにハンドオーバすることを決定するように構成されたハンドオーバ決定論理と、
前記第１のＲＡＴのアイドルモードまたは休止状態になる時点で前記第１のＲＡＴを介した通信を終了するように構成された状態移行論理と、なお、前記第２のＲＡＴを介したデータ送信を再開する前に、前記第１のＲＡＴの前記アイドルモードまたは休止状態になる、
前記第２のＲＡＴを介した前記データ送信を再開するように構成されたの送信再開論理と、
を備えるモバイルデバイス。
【請求項４６】
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報はＣＤＭＡ近隣指示情報である、
請求項４５に記載のモバイルデバイス。
【請求項４７】
前記第２のＲＡＴは、ＣＤＭＡエボリューション−データ最適化（ＥＶＤＯ）又はＣＤＭＡ１ｘである、
請求項４６に記載のモバイルデバイス。
【請求項４８】
前記ＣＤＭＡ近隣指示情報は、既存のメディアアクセス制御（ＭＡＣ）管理メッセージにおける新しい情報要素（ＩＥ）である、
請求項４６に記載のモバイルデバイス。
【請求項４９】
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
請求項４８に記載のモバイルデバイス。
【請求項５０】
前記ＣＤＭＡ近隣指示情報は、新たに定義されたメディアアクセス制御（ＭＡＣ）管理メッセージである、
請求項４６に記載のモバイルデバイス。
【請求項５１】
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
請求項５０に記載のモバイルデバイス。
【請求項５２】
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
請求項４５に記載のモバイルデバイス。
【請求項５３】
前記第１のＲＡＴは、ＣＤＭＡエボリューション−データ最適化（ＥＶＤＯ）である、
請求項５２に記載のモバイルデバイス。
【請求項５４】
前記通信論理は、前記ＷｉＭＡＸ近隣指示情報を含む新セクタブロードキャストメッセージを受信するように構成される、
請求項５２に記載のモバイルデバイス。
【請求項５５】
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
請求項５２に記載のモバイルデバイス。
【手続補正２】
【補正対象書類名】明細書
【補正対象項目名】００８２
【補正方法】変更
【補正の内容】
【００８２】
請求項は、上述される正確な構成及びコンポーネントに制限されないことが理解されるべきである。上述される方法及び装置の配置、動作及び詳細は、請求項の範囲を逸脱することなしに様々な修正、変更及び変形を行うことができる。
以下に、本願出願の当初の特許請求の範囲に記載された発明を付記する。
［Ｃ１］
第１及び第２の無線アクセス技術（ＲＡＴ）を介してネットワークサービス間でのハンドオーバを行うための方法であって、
前記第１のＲＡＴを介して通信する一方で、前記第２のＲＡＴを介してネットワークサービスに関する近隣指示情報を受信することと、なお、前記第１及び第２のＲＡＴは異なる、
前記受信された情報を用いて前記第２のＲＡＴに関してスキャンすることと、
前記スキャンの結果に基づいて前記第２のＲＡＴを介してネットワークサービスにハンドオーバすべきかどうかを決定することと、
を備える方法。
［Ｃ２］
前記第１のＲＡＴは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報は、ＣＤＭＡ近隣指示情報である、
Ｃ１に記載の方法。
［Ｃ３］
前記第２のＲＡＴは、ＣＤＭＡエボリューション−データ最適化（ＥＶＤＯ）又はＣＤＭＡ１ｘである、
Ｃ２に記載の方法。
［Ｃ４］
前記ＣＤＭＡ近隣指示情報は、既存のメディアアクセス制御（ＭＡＣ）管理メッセージにおける新しい情報要素（ＩＥ）である、
Ｃ２に記載の方法。
［Ｃ５］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ４に記載の方法。
［Ｃ６］
前記ＣＤＭＡ近隣指示情報は、新たに定義されたメディアアクセス制御（ＭＡＣ）管理メッセージである、
Ｃ２に記載の方法。
［Ｃ７］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ６に記載の方法。
［Ｃ８］
前記第１のＲＡＴは、ＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
Ｃ１に記載の方法。
［Ｃ９］
前記第１のＲＡＴは、ＣＤＭＡエボリューション−データ最適化（ＥＶＤＯ）である、
Ｃ８に記載の方法。
［Ｃ１０］
新セクタブロードキャストメッセージは、前記ＷｉＭＡＸ近隣指示情報を備える、
Ｃ８に記載の方法。
［Ｃ１１］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ８に記載の方法。
［Ｃ１２］
その上に格納された命令を有するコンピュータ可読媒体を備える第１及び第２の無線アクセス技術（ＲＡＴ）を介してネットワークサービス間でのハンドオーバを行うためのコンピュータプログラム装置であって、前記命令は、１つ以上のプロセッサによって実行可能であり、前記命令は、
前記第１のＲＡＴを介して通信する一方で、前記第２のＲＡＴを介してネットワークサービスに関する近隣指示情報を受信するための命令と、なお、前記第１及び第２のＲＡＴは異なる、
前記受信された情報を用いて前記第２のＲＡＴに関してスキャンするための命令と、
前記スキャンの結果に基づいて前記第２のＲＡＴを介してネットワークサービスにハンドオーバすべきかどうかを決定するための命令と、
を備える、コンピュータプログラム装置。
［Ｃ１３］
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報はＣＤＭＡ近隣指示情報である、
Ｃ１２に記載のコンピュータプログラム装置。
［Ｃ１４］
前記第２のＲＡＴは、ＣＤＭＡエボリューション−データ最適化（ＥＶＤＯ）又はＣＤＭＡ１ｘである、
Ｃ１３に記載のコンピュータプログラム装置。
［Ｃ１５］
前記ＣＤＭＡ近隣指示情報は、既存のメディアアクセス制御（ＭＡＣ）管理メッセージにおける新しい情報要素（ＩＥ）である、
Ｃ１３に記載のコンピュータプログラム装置。
［Ｃ１６］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ１５に記載のコンピュータプログラム装置。
［Ｃ１７］
前記ＣＤＭＡ近隣指示情報は、新たに定義されたメディアアクセス制御（ＭＡＣ）管理メッセージである、
Ｃ１３に記載のコンピュータプログラム装置。
［Ｃ１８］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ１７に記載のコンピュータプログラム装置。
［Ｃ１９］
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
Ｃ１２に記載のコンピュータプログラム装置。
［Ｃ２０］
前記第１のＲＡＴは、ＣＤＭＡエボリューション−データ最適化（ＥＶＤＯ）である、
Ｃ１９に記載のコンピュータプログラム装置。
［Ｃ２１］
新セクタブロードキャストメッセージは、前記ＷｉＭＡＸ近隣指示情報を備える、
Ｃ１９に記載のコンピュータプログラム装置。
［Ｃ２２］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ１９に記載のコンピュータプログラム装置。
［Ｃ２３］
第１及び第２の無線アクセス技術（ＲＡＴ）を介してネットワークサービス間でのハンドオーバを行うための装置であって、
前記第１のＲＡＴを介して通信する一方で前記第２のＲＡＴを介してネットワークサービスに関する近隣指示情報を受信するための手段と、なお、前記第１及び第２のＲＡＴは異なる、
前記受信された情報を用いて前記第２のＲＡＴに関してスキャンするための手段と、
前記スキャンの結果に基づいて前記第２のＲＡＴを介してネットワークサービスにハンドオーバすべきかどうかを決定するための手段と、
を備える装置。
［Ｃ２４］
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報はＣＤＭＡ近隣指示情報である、
Ｃ２３に記載の装置。
［Ｃ２５］
前記第２のＲＡＴは、ＣＤＭＡエボリューション−データ最適化（ＥＶＤＯ）又はＣＤＭＡ１ｘである、
Ｃ２４に記載の装置。
［Ｃ２６］
前記ＣＤＭＡ近隣指示情報は、既存のメディアアクセス制御（ＭＡＣ）管理メッセージにおける新しい情報要素（ＩＥ）である、
Ｃ２４に記載の装置。
［Ｃ２７］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ２６に記載の装置。
［Ｃ２８］
前記ＣＤＭＡ近隣指示情報は、新たに定義されたメディアアクセス制御（ＭＡＣ）管理メッセージである、
Ｃ２４に記載の装置。
［Ｃ２９］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ２８に記載の装置。
［Ｃ３０］
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
Ｃ２３に記載の装置。
［Ｃ３１］
前記第１のＲＡＴは、ＣＤＭＡエボリューション−データ最適化（ＥＶＤＯ）である、
Ｃ３０記載の装置。
［Ｃ３２］
前記受信するための手段は、前記ＷｉＭＡＸ近隣指示情報を含む新セクタブロードキャストメッセージを受信するように構成される、
Ｃ３０に記載の装置。
［Ｃ３３］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ３０に記載の装置。
［Ｃ３４］
無線通信のための受信機であって、
前記第１の無線アクセス技術（ＲＡＴ）を介して通信する一方で第２のＲＡＴを介してネットワークサービスに関する近隣指示情報を受信するように構成された通信論理と、なお、前記第１及び第２のＲＡＴは異なる、
前記受信された情報を用いて前記第２のＲＡＴに関してスキャンするように構成されたスキャン論理と、
前記スキャンの結果に基づいて前記第２のＲＡＴを介してネットワークサービスにハンドオーバすべきかどうかを決定するように構成されたハンドオーバ決定論理と、
を備える受信機。
［Ｃ３５］
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報はＣＤＭＡ近隣指示情報である、
Ｃ３４に記載の受信機。
［Ｃ３６］
前記第２のＲＡＴは、ＣＤＭＡエボリューション−データ最適化（ＥＶＤＯ）又はＣＤＭＡ１ｘである、
Ｃ３５に記載の受信機。
［Ｃ３７］
前記ＣＤＭＡ近隣指示情報は、既存のメディアアクセス制御（ＭＡＣ）管理メッセージにおける新しい情報要素（ＩＥ）である、
Ｃ３５に記載の受信機。
［Ｃ３８］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ３７に記載の受信機。
［Ｃ３９］
前記ＣＤＭＡ近隣指示情報は、新たに定義されたメディアアクセス制御（ＭＡＣ）管理メッセージである、
Ｃ３５に記載の受信機。
［Ｃ４０］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ３９に記載の受信機。
［Ｃ４１］
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
Ｃ３４に記載の受信機。
［Ｃ４２］
前記第１のＲＡＴは、ＣＤＭＡエボリューション−データ最適化（ＥＶＤＯ）である、
Ｃ４１に記載の受信機。
［Ｃ４３］
前記通信論理は、前記ＷｉＭＡＸ近隣指示情報を含む新セクタブロードキャストメッセージを受信するように構成される、
Ｃ４１に記載の受信機。
［Ｃ４４］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ４１に記載の受信機。
［Ｃ４５］
第１の無線アクセス技術（ＲＡＴ）を介して通信するための受信機フロントエンドと、
前記第１のＲＡＴを介して通信する一方で第２のＲＡＴを介してネットワークサービスに関する近隣指示情報を受信するように構成された通信論理と、前記第１及び第２のＲＡＴは異なる、
前記受信された情報を用いて前記第２のＲＡＴに関してスキャンするように構成されたスキャン論理と、
前記スキャンの結果に基づいて前記第２のＲＡＴを介してネットワークサービスにハンドオーバすべきかどうかを決定するように構成されたハンドオーバ決定論理と、
を備えるモバイルデバイス。
［Ｃ４６］
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記受信された情報はＣＤＭＡ近隣指示情報である、
Ｃ４５に記載のモバイルデバイス。
［Ｃ４７］
前記第２のＲＡＴは、ＣＤＭＡエボリューション−データ最適化（ＥＶＤＯ）又はＣＤＭＡ１ｘである、
Ｃ４６に記載のモバイルデバイス。
［Ｃ４８］
前記ＣＤＭＡ近隣指示情報は、既存のメディアアクセス制御（ＭＡＣ）管理メッセージにおける新しい情報要素（ＩＥ）である、
Ｃ４６に記載のモバイルデバイス。
［Ｃ４９］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ４８に記載のモバイルデバイス。
［Ｃ５０］
前記ＣＤＭＡ近隣指示情報は、新たに定義されたメディアアクセス制御（ＭＡＣ）管理メッセージである、
Ｃ４６に記載のモバイルデバイス。
［Ｃ５１］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ５０に記載のモバイルデバイス。
［Ｃ５２］
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記受信された情報はＷｉＭＡＸ近隣指示情報である、
Ｃ４５に記載のモバイルデバイス。
［Ｃ５３］
前記第１のＲＡＴは、ＣＤＭＡエボリューション−データ最適化（ＥＶＤＯ）である、
Ｃ５２に記載のモバイルデバイス。
［Ｃ５４］
前記通信論理は、前記ＷｉＭＡＸ近隣指示情報を含む新セクタブロードキャストメッセージを受信するように構成される、
Ｃ５２に記載のモバイルデバイス。
［Ｃ５５］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ５２に記載のモバイルデバイス。
［Ｃ５６］
第１及び第２の無線アクセス技術（ＲＡＴ）を介してのネットワークサービス間でのハンドオーバをアシストするための方法であって、
前記第１のＲＡＴを介して通信することと、
前記第２のＲＡＴを介してネットワークサービスに関する情報を送信することと、
を備え、前記第１及び第２のＲＡＴは異なる、
方法。
［Ｃ５７］
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記送信された情報はＣＤＭＡ近隣指示情報である、
Ｃ５６に記載の方法。
［Ｃ５８］
前記第２のＲＡＴは、ＣＤＭＡエボリューション−データ最適化（ＥＶＤＯ）又はＣＤＭＡ１ｘであるＣ５７に記載の方法。
［Ｃ５９］
前記ＣＤＭＡ近隣指示情報は、既存のメディアアクセス制御（ＭＡＣ）管理メッセージにおける新しい情報要素（ＩＥ）である、
Ｃ５７に記載の方法。
［Ｃ６０］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ５９に記載の方法。
［Ｃ６１］
前記ＣＤＭＡ近隣指示情報は、新たに定義されたメディアアクセス制御（ＭＡＣ）管理メッセージとして送信される、
Ｃ５７に記載の方法。
［Ｃ６２］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ６１に記載の方法。
［Ｃ６３］
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記送信された情報はＷｉＭＡＸ近隣指示情報である、
Ｃ５６に記載の方法。
［Ｃ６４］
前記第１のＲＡＴは、ＣＤＭＡエボリューション−データ最適化（ＥＶＤＯ）である、
Ｃ６３記載の方法。
［Ｃ６５］
前記ＷｉＭＡＸ近隣指示情報は、新セクタブロードキャストメッセージとして送信される、
Ｃ６３に記載の方法。
［Ｃ６６］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ６３に記載の方法。
［Ｃ６７］
その上に格納された命令を有するコンピュータ可読媒体を備える第１及び第２の無線アクセス技術（ＲＡＴ）を介してのネットワークサービス間でのハンドオーバをアシストするためのコンピュータプログラム装置であって、前記命令は、１つ以上のプロセッサによって実行可能であり、前記命令は、
前記第１のＲＡＴを介して通信するための命令と、
前記第２のＲＡＴを介してネットワークサービスに関する情報を送信するための命令と、
を備え、前記第１及び第２のＲＡＴは異なる、
コンピュータプログラム装置。
［Ｃ６８］
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記送信された情報はＣＤＭＡ近隣指示情報である、
Ｃ６７に記載のコンピュータプログラム装置。
［Ｃ６９］
前記第２のＲＡＴは、ＣＤＭＡエボリューション−データ最適化（ＥＶＤＯ）又はＣＤＭＡ１ｘである、
Ｃ６８に記載のコンピュータプログラム装置。
［Ｃ７０］
前記ＣＤＭＡ近隣指示情報は、既存のメディアアクセス制御（ＭＡＣ）管理メッセージにおける新しい情報要素（ＩＥ）として送信される、
Ｃ６８に記載のコンピュータプログラム装置。
［Ｃ７１］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ７０に記載のコンピュータプログラム装置。
［Ｃ７２］
前記ＣＤＭＡ近隣指示情報は、新たに定義されたメディアアクセス制御（ＭＡＣ）管理メッセージとして送信される、
Ｃ６８に記載のコンピュータプログラム装置。
［Ｃ７３］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ７２に記載のコンピュータプログラム装置。
［Ｃ７４］
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記送信された情報はＷｉＭＡＸ近隣指示情報である、
Ｃ６７に記載のコンピュータプログラム装置。
［Ｃ７５］
前記第１のＲＡＴは、ＣＤＭＡエボリューション−データ最適化（ＥＶＤＯ）である、
Ｃ７４に記載のコンピュータプログラム装置。
［Ｃ７６］
前記ＷｉＭＡＸ近隣指示情報は、新セクタブロードキャストメッセージとして送信される、
Ｃ７４に記載のコンピュータプログラム装置。
［Ｃ７７］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ７４に記載のコンピュータプログラム装置。
［Ｃ７８］
第１及び第２の無線アクセス技術（ＲＡＴ）を介してのネットワークサービス間でのハンドオーバをアシストするための装置であって、
前記第１のＲＡＴを介して通信するための手段と、
前記第２のＲＡＴを介してネットワークサービスに関する情報を送信するための手段と、
を備え、前記第１及び第２のＲＡＴは異なる、
装置。
［Ｃ７９］
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記送信された情報はＣＤＭＡ近隣指示情報である、
Ｃ７８に記載の装置。
［Ｃ８０］
前記第２のＲＡＴは、ＣＤＭＡエボリューション−データ最適化（ＥＶＤＯ）又はＣＤＭＡ１ｘである、
Ｃ７９に記載の装置。
［Ｃ８１］
前記ＣＤＭＡ近隣指示情報は、既存のメディアアクセス制御（ＭＡＣ）管理メッセージにおける新しい情報要素（ＩＥ）として送信される、
Ｃ７９に記載の装置。
［Ｃ８２］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ８１に記載の装置。
［Ｃ８３］
前記ＣＤＭＡ近隣指示情報は、新たに定義されたメディアアクセス制御（ＭＡＣ）管理メッセージとして送信される、
Ｃ７９に記載の装置。
［Ｃ８４］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ８３に記載の装置。
［Ｃ８５］
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記送信された情報はＷｉＭＡＸ近隣指示情報である、
Ｃ７８に記載の装置。
［Ｃ８６］
前記第１のＲＡＴは、ＣＤＭＡエボリューション−データ最適化（ＥＶＤＯ）である、
Ｃ８５記載の装置。
［Ｃ８７］
前記送信するための手段は、前記ＷｉＭＡＸ近隣指示情報を新セクタブロードキャストメッセージとして送信する、
Ｃ８５に記載の装置。
［Ｃ８８］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ８５に記載の装置。
［Ｃ８９］
無線通信のための送信機であって、
前記第１の無線アクセス技術（ＲＡＴ）を介して通信するように構成された通信論理と、
第２のＲＡＴを介してネットワークサービスに関する情報を送信するように構成された送信論理と、
を備え、前記第１及び第２のＲＡＴは異なる、
無線通信のための送信機。
［Ｃ９０］
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記送信された情報はＣＤＭＡ近隣指示情報である、
Ｃ８９に記載の送信機。
［Ｃ９１］
前記第２のＲＡＴは、ＣＤＭＡエボリューション−データ最適化（ＥＶＤＯ）又はＣＤＭＡ１ｘである、
Ｃ９０に記載の送信機。
［Ｃ９２］
前記ＣＤＭＡ近隣指示情報は、既存のメディアアクセス制御（ＭＡＣ）管理メッセージにおける新しい情報要素（ＩＥ）として送信される、
Ｃ９０に記載の送信機。
［Ｃ９３］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ９２に記載の送信機。
［Ｃ９４］
前記ＣＤＭＡ近隣指示情報は、新たに定義されたメディアアクセス制御（ＭＡＣ）管理メッセージとして送信される、
Ｃ９０に記載の送信機。
［Ｃ９５］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ９４に記載の送信機。
［Ｃ９６］
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記送信された情報はＷｉＭＡＸ近隣指示情報である、
Ｃ８９に記載の送信機。
［Ｃ９７］
前記第１のＲＡＴは、ＣＤＭＡエボリューション−データ最適化（ＥＶＤＯ）である、
Ｃ９６に記載の送信機。
［Ｃ９８］
前記送信論理は、前記ＷｉＭＡＸ近隣指示情報を新セクタブロードキャストメッセージとして送信する、
Ｃ９６に記載の送信機。
［Ｃ９９］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ９６に記載の送信機。
［Ｃ１００］
第１の無線アクセス技術（ＲＡＴ）を介して通信するように構成された通信論理と、
第２のＲＡＴを介してネットワークサービスに関する情報を送信するための送信機フロントエンドと、
を備え、前記第１及び第２のＲＡＴは異なる、
基地局。
［Ｃ１０１］
前記第１のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴはＣＤＭＡ（符号分割多元接続）であり、前記送信された情報はＣＤＭＡ近隣指示情報である、
Ｃ１００に記載の基地局。
［Ｃ１０２］
前記第２のＲＡＴは、ＣＤＭＡエボリューション−データ最適化（ＥＶＤＯ）又はＣＤＭＡ１ｘである、
Ｃ１０１に記載の基地局。
［Ｃ１０３］
前記ＣＤＭＡ近隣指示情報は、既存のメディアアクセス制御（ＭＡＣ）管理メッセージにおける新しい情報要素（ＩＥ）として送信される、
Ｃ１０１に記載の基地局。
［Ｃ１０４］
前記既存のＭＡＣ管理メッセージは、ダウンリンクチャネルディスクリプタ（ＤＣＤ）メッセージ又はアップリンクチャネルディスクリプタ（ＵＣＤ）メッセージのうちの少なくとも１つである、
Ｃ１０３に記載の基地局。
［Ｃ１０５］
前記ＣＤＭＡ近隣指示情報は、新たに定義されたメディアアクセス制御（ＭＡＣ）管理メッセージとして送信される、
Ｃ１０１に記載の基地局。
［Ｃ１０６］
前記ＣＤＭＡ近隣指示情報は、ＣＤＭＡプロトコル改訂、帯域クラス、チャネル番号、システム識別番号（ＳＩＤ）、ネットワーク識別番号（ＮＩＤ）、パケットゾーン識別子（ＩＤ）、及びパイロット疑似雑音（ＰＮ）オフセットのうちの少なくとも１つを備える、
Ｃ１０５に記載の基地局。
［Ｃ１０７］
前記第１のＲＡＴはＣＤＭＡ（符号分割多元接続）であり、前記第２のＲＡＴはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記送信された情報はＷｉＭＡＸ近隣指示情報である、
Ｃ１００に記載の基地局。
［Ｃ１０８］
前記第１のＲＡＴは、ＣＤＭＡエボリューション−データ最適化（ＥＶＤＯ）である、
Ｃ１０７に記載の基地局。
［Ｃ１０９］
前記送信機フロントエンドは、前記ＷｉＭＡＸ近隣指示情報を新セクタブロードキャストメッセージとして送信する、
Ｃ１０７に記載の基地局。
［Ｃ１１０］
前記ＷｉＭＡＸ近隣指示情報は、周波数割り当て（ＦＡ）インデックス、帯域幅、高速フーリエ変換（ＦＦＴ）のサイズ、直交周波数分割多重（ＯＦＤＭ）又は直交周波数分割多元接続（ＯＦＤＭＡ）フレーム継続時間、サイクリックプリフィックス（ＣＰ）の比、オペレータ識別子（ＩＤ）、及びプリアンブルインデックスのうちの少なくとも１つを備える、
Ｃ１０７に記載の基地局。
【外国語明細書】
2014003635000001.pdf